(57)【要約】【課題】  皮膚の保水力を充分に向上させるとともに、通電による皮膚刺激をやわらげ安全なイオン導入施術を実現可能にし、経皮的に薬剤や潤い成分などを皮膚に浸透させ、アレルギー、炎症、しみ、そばかす、にきびなどの皮膚トラブルを軽減又は改善したり、皮膚の弾力性やハリを回復させるといった美容的施術を行うことができる、新規なイオン導入用外用剤組成物を提供する。【解決手段】  ポリグルタミン酸又はその塩を含有することを特徴とするイオン導入用外用剤組成物。及び、更に美白剤、抗炎症剤、抗アクネ菌剤の内、何れか１種以上又は２種以上を含有する前記イオン導入用外用剤組成物。【特許請求の範囲】
【請求項１】
ポリグルタミン酸又はその塩を含有することを特徴とするイオン導入用外用剤組成物。
【請求項２】
更に、美白剤、抗炎症剤、抗アクネ菌剤の内、何れか１種以上又は２種以上を含有する請求項１記載のイオン導入用外用剤組成物。
【請求項３】
美白剤が、アスコルビン酸又はその塩、アスコルビン酸硫酸エステル、アスコルビン酸リン酸エステル、アスコルビン酸脂肪酸エステル、アスコルビン酸糖エーテル及びアスコルビン酸アルキルエーテルから選ばれる１種又は２種以上のアスコルビン酸誘導体である請求項２記載のイオン導入用外用剤組成物。
【請求項４】
抗炎症剤が、グリチルレチン酸、グリチルリチン酸ジカリウム、アラントイン、アズレン、ε−アミノカプロン酸、ヒドロコルチゾン、塩酸ジフェンヒドラミン、マレイン酸クロロフェニラミンから選ばれる１種又は２種以上の化合物である請求項２記載のイオン導入用外用剤組成物。
【請求項５】
抗アクネ菌剤が、イオウ、サリチル酸、レゾルシン、塩化ベンザルコニウム、塩化ベンゼトニウム、ハロカルバン、２，４，４−トリクロロ−２−ヒドロキシフェノールから選ばれる１種又は２種以上の化合物である請求項２記載のイオン導入用外用剤組成物。
【発明の詳細な説明】
【技術分野】
【０００１】
本発明は、電流刺激が少なく安全なイオン導入施術を実現可能とし、経皮的に薬剤や潤い成分などを皮膚に浸透させ、アレルギー、炎症、しみ、そばかす、にきびなどの皮膚トラブルを軽減又は改善したり、皮膚の弾力性やハリを回復させるといった美容的施術を行うことができるイオン導入用外用剤組成物に関する。
【背景技術】
【０００２】
皮膚トラブルの予防やケア、美容目的などで使用される化粧品などの外用剤組成物には、いろいろな目的に応じて種々の薬剤や生理活性成分などが処方されている。通常では、これらの製剤を単に皮膚に塗布し、人の指によるマッサージや、マスクシート等の方法により皮膚になじませるといった処置が行われている。
【０００３】
しかしながら近年においては、外用剤組成物中に含まれる薬剤や生理活性成分をより効率よく皮膚に浸透させて、所期の効果を向上させるという方法が提唱され美容機器類として実用化されている。所謂、加湿導入器、電磁波導入器、振動導入器、イオン導入器等がある。
【０００４】
加湿導入器は蒸気を肌に噴霧して毛穴を開かせて薬剤等の導入を図るのものであり、また電磁波導入器や振動導入器は、低周波、高周波、中周波の電磁波をあてたり、微少な振動を皮膚に与えて血行促進を助長し有効成分の浸透性を高めるものである。
【０００５】
一方、イオン導入（イオントフォレシス：iontophoresis）は、皮膚に微弱な電流を流すことで、電解質媒質中のイオン又は電荷した水溶性の薬物分子を皮膚内に効果的に導入する方法で、前記のような方法に比べ、ドラックデリバリーシステムとしての有用性が高いとされ、一部美容目的でのビタミンＣ誘導体のイオン導入（特許文献１参照）の試みや、又は歯科治療等における局部麻酔薬リドカインのイオン導入等が実用化されている。
【特許文献１】特開平１１−６０４８１号公報
【発明の開示】
【発明が解決しようとする課題】
【０００６】
イオン導入器による問題点として、電流を皮膚に流すために組織の火傷、電気衝撃、水の電気分解による負極側でのアルカリの増大などがある。こうした事情を鑑み、連続直流型からパルス直流型、パルス脱分極直流型、交流型など機器レベルでの技術改良がなされ、肌への刺激が少なく且つ短い時間の施術を可能とする機器類の開発により、使用による皮膚への安全性が図られてきた。
【０００７】
しかしながらイオン導入器の使用行為は人的であるため、安全性を担保する上での専門的な知識や施術技術などが重要であることはいうまでもない。また、被験者の肌質や肌の状態によっても施術加減を考慮する必要があり、その使用は決して安易であるとは言えない。また、誤った使用により皮膚状態を悪化させ、火傷、炎症、発赤、保水力の低下等のスキントラブルも懸念される。
【０００８】
本発明は、このような事情に鑑みてなされたものであって、皮膚の保水力を充分に向上させるとともに、通電による皮膚刺激をやわらげ安全なイオン導入施術を実現可能にし、経皮的に薬剤や潤い成分などを皮膚に浸透させ、アレルギー、炎症、しみ、そばかす、にきびなどの皮膚トラブルを軽減又は改善したり、皮膚の弾力性やハリを回復させるといった美容的施術を行うことができる、新規なイオン導入用外用剤組成物を提供するものである。
【課題を解決するための手段】
【０００９】
本発明者らは、上記課題を解決すべく鋭意研究を重ねた結果、イオン導入用外用剤組成物にポリグルタミン酸又はその塩を含有させることで、電流による皮膚刺激が緩和され、安全なイオン導入施術が可能となり、更に皮膚の保水力が向上し、皮膚の弾力性やハリを回復させるという知見を得た。
【００１０】
本発明によるイオン導入用外用剤組成物は、必須成分であるポリグルタミン酸又はその塩の他に、必要により更にアレルギー、炎症、しみ、そばかす、にきびなどの皮膚トラブルを軽減又は改善するための種々の薬剤を含有させる技術を含む。
【発明の効果】
【００１１】
本発明によるイオン導入用外用剤組成物は、ポリグルタミン酸、特にγ−ポリグルタミン酸又はその塩を含有することを特徴とし、これにより電流によるピリピリ感などの皮膚刺激が緩和され、安全なイオン導入施術が可能となり、同時に皮膚の保水力が向上し、皮膚の弾力性やハリを回復させる効果を有する。さらに美白剤、抗炎症剤、抗アクネ菌剤を含有したイオン導入用外用剤組成物は、有意に肌のシミ・ソバカスを改善、肌の色を白く改善し、また肌荒れやニキビを改善する。従って、皮膚・頭皮の老化防止に有効である。又、人又は動物に対して外用しても安全であり、あらゆる形態の製剤（医薬品類、医薬部外品類、化粧品類）に応用することができる。
【発明を実施するための最良の形態】
【００１２】
本発明で使用するポリグルタミン酸又はその塩は式１又は式２に示される化学構造を有する化合物である。
【００１３】
【化１】
2005035957.tif 000002
〔式１中のＲは、水素原子又はナトリウム、カリウム、リチウム等のアルカリ金属原子、トリメチルアミン、トリエチルアミン、ジメチルアミン、ジエチルアミン、トリエタノールアミン、トリメタノールアミン、ジエタノールアミン、ジメタノールアミン、エタノールアミン等の第三級アミン、テトラメチルアミン、テトラエチルアミン等の第四級アミン、Ｃ１〜Ｃ３０の直鎖あるいは分岐した飽和又は不飽和の脂肪族、脂環族、芳香脂肪族及び脂肪芳香族を包含する芳香族から選ばれる非置換あるいは置換炭化水素基、カルボキシル基と反応しうる二官能性架橋性官能基から任意に選択され、分子中に存在するＲの原子種又は分子種は全て同一でも又は異なってもよい。又、式１中のｎは少なくとも６以上である。〕
【００１４】
【化２】
2005035957.tif 000003
〔式２中のＲは、水素原子又はナトリウム、カリウム、リチウム等のアルカリ金属原子、トリメチルアミン、トリエチルアミン、ジメチルアミン、ジエチルアミン、トリエタノールアミン、トリメタノールアミン、ジエタノールアミン、ジメタノールアミン、エタノールアミン等の第三級アミン、テトラメチルアミン、テトラエチルアミン等の第四級アミン、Ｃ１〜Ｃ３０の直鎖あるいは分岐した飽和又は不飽和の脂肪族、脂環族、芳香脂肪族及び脂肪芳香族を包含する芳香族から選ばれる非置換あるいは置換炭化水素基、カルボキシル基と反応しうる二官能性架橋性官能基から任意に選択され、分子中に存在するＲの原子種又は分子種は全て同一でも又は異なってもよい。又、式２中のｎは少なくとも６以上である。〕
【００１５】
式１又は式２で示されるポリグルタミン酸の構造式において、ＲがＣ１〜Ｃ３０の直鎖あるいは分岐した飽和又は不飽和の脂肪族、脂環族、芳香脂肪族及び脂肪芳香族を包含する芳香族から選ばれる非置換あるいは置換炭化水素基である場合の置換基としては、クロロ基、ブロモ基、フロオロ基等のハロゲン原子、ニトロ基、シアノ基、カルボアルコキシ基、カルボアリーロキシ基、カルボアラールコキシ基（いずれも、基中のアルキル基は炭素数が１〜４程度、アリール基は炭素数６〜１０程度、アラルキル基は合計炭素数が６〜１０程度である）、モノ又はジアルキルアミノ基（アルキル基は炭素数１〜５程度である）から任意に選択し、使用することができる。またＲがカルボキシル基と反応しうる二官能性架橋性官能基である場合は、式１又は式２で示されるＲの少なくとも一部が水素原子であるポリグルタミン酸の他分子のカルボキシル基と結合することで構成される架橋体を使用することができる。
【００１６】
本発明で使用するポリグルタミン酸又はその塩の分子量は少なくとも1000以上で、重合度は少なくとも８以上（式１又は式２中のｎが少なくとも６以上である）であり、好ましくは分子量が10万以上で重合度は７７０以上（式１又は式２中のｎは７６８以上）、特に好ましくは50万以上で重合度は３８４０以上（式１又は式２中のｎは３８３８以上）ある。分子量の上限は特に制限されず、例えば分子量500万で重合度は３８５００以上（式１又は式２中のｎは３８４９８以下）を上限として設定することができ、好ましくは分子量300万以下で重合度は２３０８０以下（式１又は式２中のｎは２３０７８以下）である。構成アミノ酸であるグルタミン酸はＤ体、Ｌ体又はラセミ体のいずれでも良いが、市場における入手の容易性、生体適合性や生分解性を考慮するとＬ体のグルタミン酸のみで構成されるポリグルタミン酸又はＬ体及びＤ体の混合型であるポリグルタミン酸の使用が好適である。逆に同一効果を有しながら分解性の低い、Ｄ体のグルタミン酸で構成されるポリグルタミン酸もまた使用することが可能である。
【００１７】
本発明で使用するポリグルタミン酸又はその塩はの製造方法は特に限定されないが、例えばペプチド合成装置を用いた有機合成法、グルタミン酸エステルN-カルボン酸無水物の重合反応による有機合成法、N-ベンジルオキシカルボニルグルタミン酸無水物の重合反応による有機合成法、又はγ−ポリグルタミン酸産生能を有するBacillus属に属する微生物（特にγ−ポリグルタミン酸の高産生能を有するBacillus subtilis、Bacillus anthracis、Bacillus licheniformis、Bacillus megaterium等）を用いた発酵法等から任意に選択することができる。
【００１８】
発酵法で使用する培地としては、焼酎蒸留廃液培地やダイズ抽出物培地等天然物で構成される天然培地の他、グルコース、フルクトース、ガラクトース、スクロース、マルトース、マンノース、ラクトース、グリセロール、デンプン等の炭素源や、硫酸アンモニム、リン酸アンモニウム、塩酸アンモニウム等の無機窒素源、グルタミン酸又はその塩、アスパラギン酸又はその塩、グルタミン、アスパラギン等の有機窒素源、塩化ナトリウム、硫酸マグネシウム、リン酸一カリウム、リン酸二ナトリウム等の主要無機塩、鉄、銅、亜鉛、コバルト、ニッケル、硼素、マンガン、モリブデン、スズ、セレン、珪素、ヒ素、バナジウム、クロム、フッ素等の原子を含む微量無機塩、ビオチン、ニコチン酸アミド、パントテン酸カルシウム、チアミン、リボフラビン、ピリドキシン塩酸塩等のビタミン類、クエン酸、酒石酸、リンゴ酸、グリコール酸等の有機酸、酵母エキスや肉エキス、ポテトエキス、トマトエキス、ダイズペプチド等の天然物抽出エキス等に例示される各成分及びそれらの培地における含有濃度を任意に選択して構成される合成培地又は半合成培地が用いられる。
【００１９】
微生物の培養条件は、温度に関しては20〜37℃の範囲で設定され、微生物の増殖過程及びポリグルタミン酸産生過程において更に調節される。pHに関しては5.0〜8.0の範囲で設定され、微生物の増殖過程及びポリグルタミン酸産生過程において更に調節される。
【００２０】
培養終了後の培養液からのポリグルタミン酸又はその塩の抽出・精製法としては、例えば酸沈殿法、溶媒沈殿法、膜精製法等の既知の方法を任意に選択することができる。
【００２１】
本発明のイオン導入用外用剤組成物中におけるポリグルタミン酸又はその塩の含有量としては、通常、製剤全量中0.00001〜10.0質量％、好ましくは0.0001〜3.0重量％の濃度範囲とすることが有効である。含有量が0.00001質量％以下である場合、発明効果が十分発揮されず、また含有量が10.0質量％を超える場合、発明効果は発揮されるが粘度等の問題で製造工程や製剤使用中における使用性が好ましくない。
【００２２】
本発明のイオン導入用外用剤組成物の剤型は任意であり、カプセル状、粉末状、液状、ゲル状、気泡状、乳液状、クリーム状、軟膏状、シート状、ムース状、エアゾール状等のいずれであってもよい。
【００２３】
尚、本発明のイオン導入用外用剤組成物は、前記の必須成分に加え必要に応じ、本発明の効果を損なわない範囲内で、下記に例示する成分や添加剤を任意に選択・併用して製造することができ、製剤中への含有量は、特に規定しないが、通常、0.0001〜50％が好ましい。
【００２４】
(1)各種油脂類
アボガド油、アーモンド油、ウイキョウ油、エゴマ油、オリーブ油、オレンジ油、オレンジラファー油、ゴマ油、カカオ脂、カミツレ油、カロット油、キューカンバー油、牛脂脂肪酸、ククイナッツ油、サフラワー油、シア脂、液状シア脂、大豆油、ツバキ油、トウモロコシ油、ナタネ油、パーシック油、ヒマシ油、綿実油、落花生油、タートル油、ミンク油、卵黄油、パーム油、パーム核油、モクロウ、ヤシ油、牛脂、豚脂、スクワレン、スクワラン、プリスタン又はこれら油脂類の水素添加物（硬化油等）等。
【００２５】
(2)ロウ類
ミツロウ、カルナバロウ、鯨ロウ、ラノリン、液状ラノリン、還元ラノリン、硬質ラノリン、カンデリラロウ、モンタンロウ、セラックロウ、ライスワックス等。
【００２６】
(3)鉱物油
流動パラフィン、ワセリン、パラフィン、オゾケライド、セレシン、マイクロクリスタンワックス等。
【００２７】
(4)脂肪酸類
ラウリン酸、ミリスチン酸、パルミチン酸、ステアリン酸、ベヘン酸、オレイン酸、リノール酸、リノレン酸、ドコサヘキサエン酸、エイコサペンタエン酸、12-ヒドロキシステアリン酸、ウンデシレン酸、トール油、ラノリン脂肪酸等の天然脂肪酸、イソノナン酸、カプロン酸、2-エチルブタン酸、イソペンタン酸、2-メチルペンタン酸、2-エチルヘキサン酸、イソペンタン酸等の合成脂肪酸。
【００２８】
(5)アルコール類
エタノール、イソピロパノール、ラウリルアルコール、セタノール、ステアリルアルコール、オレイルアルコール、ラノリンアルコール、コレステロール、フィトステロール、フェノキシエタノール等の天然アルコール、2-ヘキシルデカノール、イソステアリルアルコール、2-オクチルドデカノール等の合成アルコール。
【００２９】
(6)多価アルコール類
酸化エチレン、エチレングリコール、ジエチレングリコール、トリエチレングリコール、エチレングリコールモノエチルエーテル、エチレングリコールモノブチルエーテル、ジエチレングリコールモノメチルエーテル、ジエチレングリコールモノエチルエーテル、ポリエチレングリコール、酸化プロピレン、プロピレングリコール、ポリプロピレングリコール、1,3-ブチレングリコール、ペンチルグリコール、グリセリン、ペンタエリトリトール、トレイトール、アラビトール、キシリトール、リビトール、ガラクチトール、ソルビトール、マンニトール、ラクチトール、マルチトール等。
【００３０】
(7)エステル類
ミリスチン酸イソプロピル、パルミチン酸イソプロピル、ステアリン酸ブチル、ラウリン酸ヘキシル、ミリスチン酸ミリスチル、オレイン酸オレイル、オレイン酸デシル、ミリスチン酸オクチルドデシル、ジメチルオクタン酸ヘキシルデシル、乳酸セチル、乳酸ミリスチル、フタル酸ジエチル、フタル酸ジブチル、酢酸ラノリン、モノステアリン酸エチレングリコール、モノステアリン酸プロピレングリコール、ジオレイン酸プロピレングリコール等。
【００３１】
(8)金属セッケン類
ステアリン酸アルミニウム、ステアリン酸マグネシウム、ステアリン酸亜鉛、ステアリン酸カルシウム、パルミチン酸亜鉛、ミリスチン酸マグネシウム、ラウリン酸亜鉛、ウンデシレン酸亜鉛等。
【００３２】
(9)ガム質、糖類又は水溶性高分子化合物
アラビアゴム、ベンゾインゴム、ダンマルゴム、グアヤク脂、アイルランド苔、カラヤゴム、トラガントゴム、キャロブゴム、クインシード、寒天、カゼイン、乳糖、果糖、ショ糖又はそのエステル、トレハロース又はその誘導体、デキストリン、ゼラチン、ペクチン、デンプン、カラギーナン、カルボキシメチルキチン又はキトサン、エチレンオキサイド等のアルキレン(Ｃ２〜Ｃ４)オキサイドが付加されたヒドロキシアルキル(Ｃ２〜Ｃ４)キチン又はキトサン、低分子キチン又はキトサン、キトサン塩、硫酸化キチン又はキトサン、リン酸化キチン又はキトサン、アルギン酸又はその塩、ヒアルロン酸又はその塩、コンドロイチン硫酸又はその塩、ヘパリン、エチルセルロース、メチルセルロース、カルボキシメチルセルロース、カルボキシエチルセルロース、カルボキシエチルセルロースナトリウム、ヒドロキシエチルセルロース、ヒドロキシプロピルセルロース、ニトロセルロース、結晶セルロース、ポリビニルアルコール、ポリビニルメチルエーテル、ポリビニルピロリドン、ポリビニルメタアクリレート、ポリアクリル酸塩、ポリエチレンオキサイドやポリプロピレンオキサイド等のポリアルキレンオキサイド又はその架橋重合物、カルボキシビニルポリマー、ポリエチレンイミン等。
【００３３】
(10)界面活性剤
アニオン界面活性剤（アルキルカルボン酸塩、アルキルスルホン酸塩、アルキル硫酸エステル塩、アルキルリン酸エステル塩）、カチオン界面活性剤（アルキルアミン塩、アルキル四級アンモニウム塩）、両性界面活性剤：カルボン酸型両性界面活性剤（アミノ型、ベタイン型）、硫酸エステル型両性界面活性剤、スルホン酸型両性界面活性剤、リン酸エステル型両性界面活性剤、非イオン界面活性剤（エーテル型非イオン界面活性剤、エーテルエステル型非イオン界面活性剤、エステル型非イオン界面活性剤、ブロックポリマー型非イオン界面活性剤、含窒素型非イオン界面活性剤）、その他の界面活性剤（天然界面活性剤、タンパク質加水分解物の誘導体、高分子界面活性剤、チタン・ケイ素を含む界面活性剤、フッ化炭素系界面活性剤）等。
【００３４】
(11)各種ビタミン類
ビタミンＡ群：レチノール、レチナール（ビタミンＡ１）、デヒドロレチナール（ビタミンＡ２）、カロチン、リコピン（プロビタミンＡ）、ビタミンＢ群：チアミン塩酸塩、チアミン硫酸塩（ビタミンＢ１）、リボフラビン（ビタミンＢ２）、ピリドキシン（ビタミンＢ６）、シアノコバラミン（ビタミンＢ１２）、葉酸類、ニコチン酸類、パントテン酸類、ビオチン類、コリン、イノシトール類、ビタミンＣ群：ビタミンＣ酸又はその誘導体、ビタミンＤ群：エルゴカルシフェロール（ビタミンＤ２）、コレカルシフェロール（ビタミンＤ３）、ジヒドロタキステロール、ビタミンＥ群：ビタミンＥ又はその誘導体、ユビキノン類、ビタミンＫ群：フィトナジオン（ビタミンＫ１）、メナキノン（ビタミンＫ２）、メナジオン（ビタミンＫ３）、メナジオール（ビタミンＫ４）、その他、必須脂肪酸（ビタミンＦ）、カルニチン、フェルラ酸、γ−オリザノール、オロット酸、ビタミンＰ類（ルチン、エリオシトリン、ヘスペリジン）、ビタミンＵ等。
【００３５】
(12)各種アミノ酸類
バリン、ロイシン、イソロイシン、トレオニン、メチオニン、フェニルアラニン、トリプトファン、リジン、グリシン、アラニン、アスパラギン、グルタミン、セリン、システイン、シスチン、チロシン、プロリン、ヒドロキシプロリン、アスパラギン酸、グルタミン酸、ヒドロキシリジン、アルギニン、オルニチン、ヒスチジン等や、それらの硫酸塩、リン酸塩、硝酸塩、クエン酸塩、或いはピロリドンカルボン酸のごときアミノ酸誘導体等。
【００３６】
(13)植物又は動物系原料由来の種々の添加物
これらは、添加しようとする製品種別、形態に応じて常法的に行われる加工（例えば、粉砕、製粉、洗浄、加水分解、醗酵、精製、圧搾、抽出、分画、ろ過、乾燥、粉末化、造粒、溶解、滅菌、ｐＨ調整、脱臭、脱色等を任意に選択、組合わせた処理）を行い、各種の素材から任意に選択して供すれば良い。
【００３７】
尚、抽出に用いる溶媒については、供する製品の使用目的、種類、又は後に行う加工処理等を考慮した上で選択すれば良いが、通常では、水、メタノール、エタノール、プロピルアルコール、イソプロピルアルコール、ブタノール、イソブタノール等の低級アルコール又は含水低級アルコール、プロピレングリコール、1,3-ブチレングリコール、1,2-ブチレングリコール、1,4-ブチレングリコール、1,5-ペンタンジオール、1,2-ペンタンジオール、1,3-ペンタンジオール、1,4-ペンタンジオール、1,3,5-ペンタントリオール、グリセリン、ポリエチレングリコール（分子量100〜10万）等の多価アルコール又は含水多価アルコール、アセトン、酢酸エチル、ジエチルエーテル、ジメチルエーテル、エチルメチルエーテル、ジオキサン、アセトニトリル、キシレン、ベンゼン、クロロホルム、四塩化炭素、フェノール、トルエン等の各種有機溶媒や、適宜規定度を調製した酸（塩酸、硫酸、硝酸、リン酸、ギ酸、酢酸等）やアルカリ（水酸化ナトリウム、水酸化カリウム、水酸化カルシウム、アンモニア等）の中から選ばれる１種もしくは２種以上の混液を用いるのが望ましい。但し、使用目的により有機溶媒の含有が好ましくない場合においては、水のみを使用したり、あるいは抽出後に溶媒の除去が容易な揮発性の高い溶媒を用いて抽出を行い、溶媒除去後精製水等に溶解させるといった方法も可能である。
【００３８】
尚、植物又は動物系原料由来の添加物を、本発明のイオン導入用外用剤組成物に供する場合、皮膚や頭髪の保護をはじめ、保湿、感触・風合いの改善、柔軟性の付与、刺激の緩和、芳香によるストレスの緩和、細胞賦活（細胞老化防止）、炎症の抑制、肌質・髪質の改善、肌荒れ防止及びその改善、発毛、育毛、脱毛防止、光沢の付与、清浄効果、疲労の緩和、血流促進、温浴効果等の美容的効果のほか、香付け、消臭、増粘、防腐、緩衝等の効果も期待できる。
【００３９】
原料とする具体的な植物(生薬)としては、例えば、アーモンド(へん桃)、アイ(藍葉)、アオカズラ(清風藤)、アオキ(青木)、アオギリ又はケナシアオギリ(梧桐)、アオツヅラフジ(木防巳)、アオテンマ、アカシア、アカショウマ(赤升麻)、アカスグリ「果実」、アカツメクサ、アカブドウ、アカミノキ(ログウッド)、アカメガシワ(赤芽柏)、アカミノアカネ又はセイヨウアカネ又はアカネ(茜草根)、アカヤジオウ又はジオウ(地黄)、アギ(阿魏)、アキカラマツ、アキニレ(榔楡皮)、アグアイー・グァスー、アグアヘ(オオミテングヤシ)、アケビ(木通)、アサ(麻子仁)、マルバアサガオ又はアサガオ(牽牛子)、アジサイ(紫陽花)、アシタバ(明日葉)、アズキ(赤小豆)、アスナロ、アセロラ、アセンヤク(阿仙薬)、アチラ(ショクヨウカンナ)、アニス、アビウ、アビウラーナ、アブラナ、アベマキ「果実」、アボカド、アマ、アマチャ(甘茶)、アマチャヅル、アマドコロ(玉竹)、アマナ(光慈姑)、アマランサス(ヒユ、ハゲイトウ、ヒモゲイトウ、センニンコク、スギモリゲイトウ、ホソアオゲイトウ、アオゲイトウ、ハリビユ、アオスズラン、アマラントウス・ヒポコンドリアクス)、アミガサユリ又はバイモ(貝母)、アリストロメリア(ユリズイセン)、アルカナ(アルカンナ)、アルガローボ(キャベ)、アルテア、アルニカ、アルピニア又はカツマダイ(ソウズク)、アロエ(蘆薈)、アロエベラ、アンジェリカ、アンズ又はホンアンズ(杏仁)、アンソッコウ(安息香)、イエローサポテ、イガコウゾリナ(地胆頭)、イカリソウ又はヤチマタイカリソウ(インヨウカク)、イグサ(灯心草)、イタドリ(虎杖根)、イチイ(一位)、イチゴ、イチジク(無花果「果実、葉」)、イチハツ(一初)、イチビ(冬葵子)、イチヤクソウ(一薬草)、イチョウ(銀杏「種子、葉」)、イトヒメハギ(遠志)、イナゴマメ、イヌナズナ(テイレキシ)、イヌビユ(ホナガイヌビユ)、イネ「種子、種皮」、イノンド「種子」、イブキジャコウソウ、イラクサ、イランイラン、イワタバコ(岩萵苣)、イワヒバ又はイワマツ(巻柏)、インゲンマメ、ウーロン茶、ウイキョウ(茴香)、ウィート(チブサノキ)、ウキヤガラ(三稜)、ウグイスカグラ「果実」、ヒメウイキョウ、ウコン(鬱金)、ウキクサ(浮萍)、ウスバサイシン又はケイリンサイシン又はオウシュウサイシン(細辛)、ウスベニアオイ、ウスベニタチアオイ、ウチョウラン、ウツボグサ(夏枯草)、ウド又はシシウド(羌活、独活、唐独活)、ウニャデガト(ウンカリア、キャッツクロー)、ウバ茶、ウメ(烏梅「種子、果肉」)、ウラジロガシ、ウワウルシ(クサコケモモ)、ウンシュウミカン(陳皮)、ウンボク、エストラゴン、エゾウコギ(蝦夷五加)、エゾスズラン、エチナシ(ホソバムラサキバレンギク)、エニシダ、エノキタケ(榎茸)、エビスグサ又はカッシア・トーラ(決明子)、エルカンプレ、エルダーベリー「果実」、エレミ、エリンギィ又はプレロータスエリンジ、エンジュ(槐花、槐花米)、エンドウ、オウギ又はキバナオウギ(黄耆)、ナルコユリ又はカギクルマバナルコユリ（黄精)、オウヒササノユキ又はササノユキ、オウレン(黄連)、オオガタホウケン、オオカラスウリ(カロコン)、オオグルマ(土木香)、オオツヅラフジ(防己)、オオバコ(車前子、車前草)、オオバナアザミ(祁州漏芦、白頭翁)、オオハシバミ(榛子)、オオハシラサボテン、オオバナオケラ又はオケラ(白朮)、オオバナサルスベリ（バナバ）、オオバヤシャブシ「果実」、オオヒラタケ、オオホシグサ(穀精草)、オオミアカテツ、オオミサンザシ又はサンザシ(山査子)、オオミヤシ、オオムギ(大麦)、オカ、オカゼリ(蛇床子)、オクラ「果実」、オグルマ(旋覆)、オクルリヒゴタイ(禹州漏芦、藍刺頭)、オタネニンジン又はトチバニンジン (人参)、オトギリソウ又はコゴメバオトギリソウ又はセイヨウオトギリソウ(弟切草)、オドリコソウ(続断)、オナモミ(蒼耳子)、オニグルミ、オニドコロ又はトコロ又はナガドコロ(ヒカイ)、オニノヤガラ(天麻)、オニユリ又はササユリ又はハカタユリ(百合)、オノエラン、オノニス、オヒョウ(裂葉楡)、オミナエシ(敗醤)、オユーコ、オランダカラシ(クレソン)、オランダゼリ、オランダビユ、オランダミツバ、オリーブ「果実、種子、葉」、オレガノ、オレンジ「果実、果皮」、カイケイジオウ(熟地黄)、カカオ「果実、果皮、種子」、カキ(柿蒂「葉」)、カギカズラ(釣藤鈎)、カキドオシ又はカントリソウ(蓮銭草)、カキラン、ガクアジサイ、カシア、カジノキ(楮実「果実」)、ガジュツ(莪朮)、カシワ(槲樹、槲葉)、カスカリラ、カスカラサグラダ、カスミソウ、カセンソウ、カニクサ(金沙藤)、カニーワ、カーネーション、カノコソウ(吉草根)、カバ、カバアナタケ、カバノキ又はシダレカンバ(白樺)、ガーベラ、カボチャ、カポックノキ「種子」、カホクサンショウ(蜀椒)、ガマ(蒲黄)、カミツレ又はローマカミツレ、カミヤツデ(通草)、カムカム(カモカモ)、カラグワ又はヤマグワ(桑椹)、カラー、カラクサケマン、カラスウリ又はシナカラスウリ(王瓜)、カラスビシャク(半夏)、カラスムギ、ガラナ「種子」、カラホオ(厚朴)、カラヤ、ガリュウ、カリン(木瓜)、ガルシニア、カワミドリ、カワラサイコ(委陵菜、翻白草)、カワヂシャ、カワラタケ、カワラナデシコ(石竹)又はエゾカワラナデシコ(瞿麦、瞿麦子)、カワラニンジン(青蒿)、カワラヨモギ(茵?蒿)、カンスイ(甘遂)、カンゾウ(甘草)、カンタラアサ、カンデリラ、カントウ、カンナ、カンラン、キイチゴ(エゾイチゴ、オランダイチゴ、エビガライチゴ、ナワシロイチゴ、モミジイチゴ、ヨーロッパキイチゴ)、キウイ「果実、葉」、キカラスウリ(瓜呂根)、キキョウ(桔梗、桔梗根)、キク(菊花、シマカンギク、チョウセンノギク)、キクタニギク、キササゲ(梓実)、ギシギシ(羊蹄根)、キジツ(枳実)、キズタ、キダチアロエ、キダチハッカ、キナ、キナノキ(シンコーナ、アカキナノキ)、キヌア(キノア)、キハダ(黄柏)、キマメ、ギムネマ・シルベスタ、キメンカク、キャベツ、キャベブ「未熟果」、キャラウェー、キュウリ、ギョリュウ(西河柳、てい柳)、キラジャ・サポナリア、キラヤ、キランソウ(金瘡小草)、キンカン「果実」、キンキジュ、ギンセカイ、キンブセン、キンマ、キンミズヒキ(仙鶴草)、キンラン、ギンラン、キンリョウヘン、グァペーバ・ヴェルメーリャ、グアバ「果実」、グアユーレ、クェルクス・インフェクトリア(没食子)、ククイナッツ、クゲヌマラン、クコ(枸杞、枸杞子、枸杞葉、地骨皮)、クサスギカズラ(天門冬)、クズ(葛根)、クスノキ、グースベリー「果実」、クソニンジン(黄花蒿)、クティティリバー、クチナシ(山梔子)、クヌギ(樸ソウ)、クプアス、クベバ、クマザサ、クマツヅラ(馬鞭草)、クララ(苦参)、クランベリー「果実��、クリ「種子、果実、渋皮」、クルクリゴ・ラチフォリア「果実」、グレープフルーツ「果実・葉」、クロウメモドキ、クロガネモチ(救必応)、カメバヒキオコシ又はクロバナヒキオコシ又はヒキオコシ(延命草)、クローブ(丁子、丁香)、グンバイナズナ(セキメイ、セキメイシ)、ケイガイ(荊芥、荊芥穂)、ケイトウ(鶏冠花、鶏冠子)、ゲッカビジン、ゲッケイジュ(月桂樹)、ケナシサルトリイバラ(土茯苓、山帰来)、ゲンチアナ、ゲンノショウコ(老鸛草)、ケンポナシ(キグシ)、コウキセッコク、キシュウミカン(コウジ、タチバナ、オオベニミカン、フクレミカン、サガミコウジ、ポンカン、サンタラ(橘皮))、コウシンバラ(月季花)、コウスイハッカ、コウゾ「果実」、コウチャ(紅茶)、コウホネ(川骨)、コウホン(藁本、唐藁本)、コウリャン、コウリョウキョウ(高良姜)、コエンドロ「果実」、コオウレン(胡黄連)、コガネバナ(黄ゴン)、コケモモ(越橘)、ココヤシ「果実」、ゴシュユ(呉茱萸)、ゴショイチゴ(覆盆子)、コショウ(胡椒)、コスモス、コパイババルサム、コーヒー「種子、葉」、コフキサルノコシカケ(梅寄生)、コブシ又はモクレン(辛夷)、ゴボウ(牛蒡、牛蒡子)、コボタンヅル、ゴマ(胡麻)、ゴマノハグサ(玄参)、ゴミシ(五味子)、サネカズラ又はビナンカズラ又はマツブサ、コムギ(小麦)、米又は米糠「赤糠、白糠」、コメ油、コーラ・アクミナタ「種子」、コーラ・ベラ「種子」、コレウス・フォルスコリ、コロニーリャ、コロハ「果実」、コロンボ、コンズランゴ、コンブ、コンニャク、コンフリー(鰭張草)、サイザル(サイザルアサ)、サイハイラン、サカネラン(エゾサカネラン)、サキシマボタンヅル又はシナボタンヅル又はシナセンニンソウ(威霊仙)、サクラ(オオシマザクラ、ヤマザクラ、オオヤマザクラ、エドヒガシ、マメザクラ、ミヤマザクラ、ソメイヨシノ、タカネザクラ、カスミザクラ、コヒガン、サトザクラ、カンザクラ「葉、花、果実、樹皮(桜皮)」)、サクランボ、ザクロ、ササ、ササバギンラン、サザンカ、サジオモダカ(沢瀉)、サツマイモ、サトウキビ、サトウダイコン、サネブトナツメ(酸棗仁)、サフラン(番紅花、西紅花)、サポジラ、サポテアマリヨ、ザボン「果実」、サボンソウ、サーモンベリー「果実」、サラシナショウマ(升麻)、サランシトウ(砂藍刺頭)、サルビア(セージ)、サワギキョウ(山梗菜)、サワグルミ(山胡桃)、サンカクサボテン、サングレデグラード(クロトン)、サンシクヨウソウ、サンシチニンジン(三七人参)、サンシュユ(山茱萸)、サンショウ(山椒)、サンズコン(山豆根)、シア(カリテ)、シアノキ「果実」、シイタケ(椎茸)、シオン(紫苑)、シカクマメ、ジキタリス、シクンシ(使君子)、シソ又はアオジソ又はチリメンジソ又はカタメンジソ(紫蘇葉、紫蘇子)、シタン、シナノキ、シナホオノキ、シナレンギョウ(連翹)、シメジ(ヒンシメジ、シャカシメジ、ハタケシメジ、オシロイシメジ、ブナシメジ、ホンジメシ、シロタモギタケ)、シモクレン(辛夷)、シモツケソウ、ジャガイモ、シャクヤク(芍薬)、シャジン(沙参)、ジャスミン（マツリカ）、ジャノヒゲ(麦門冬)、ジュウロクササゲ、シュクコンカスミソウ、シュクシャミツ(砂仁、縮砂)、ジュズダマ、シュロ「果実」、シュンラン、ジョウオウヤシ、ショウガ(生姜)、ジョウザンアジサイ(常山)、ショウブ(菖蒲、菖蒲根)、ショズク「果実」、シラカシ「種子」、シラン(ビャッキュウ)、シロゴチョウ「種子」、シロツメクサ(クローバー)、シロトウアズキ(鶏骨草)、シロバナイリス(ニオイイリス)、シロバナツタ「花」、シロバナルーピン、シロミナンテン(南天実)、シンコナサクシルブラ、ジンチョウゲ(瑞香、瑞香花、沈丁花)、シンナモン、シンナモムム・カッシア（桂皮）、スイカ(西瓜)、スイカズラ(金銀花、忍冬)、スイバ(酸模)、スイムベリー「果実」、スターアップル、ステビア、ストロベリー「果実」、スズサイコ(徐長卿)、スギナ(問荊)、スベリヒユ(馬歯けん、馬歯けん子)、スモモ「果実」、スルガラン(オラン)、セイヨウアカマツ「球果」、セイヨウカラマツ、セイヨウキズタ、セイヨウグルミ、セイヨウサンザシ、セイヨウスノキ、セイヨウタンポポ、セイヨウトチノキ(マロニエ)、セイヨウナシ「果実」、セイヨウナツユキソウ、セイヨウニワトコ(エルダー)、セイヨウネズ(ジュニパー、杜松)、セイヨウノコギリソウ(ミルフォイル)、セイヨウバラ、セイヨウフウチョウボク、セイヨウヤドリギ、セイヨウハッカ又はセイヨウヤマハッカ、セイヨウワサビ、セキショウ(石菖根)、セッコク(サクラセッコク、コウキセッコク、オオバナセッコク、オキナワセッコク、ホンセッコク、コチョウセッコク、シカクセッコク、キバナノセッコク)(デンドロビウム、石斛)、セドロン(ボウシュウボク)、ゼニアオイ、ヒロハセネガ、セネガ、セリ、セロリ、センキュウ(川キュウ)、センシンレン(穿心連)、センダン、センニンサボテン、センナ「果実、葉」、センニンソウ(大蓼)、センブリ(当薬)、センボク、ソウカ(草果)、ゾウゲチュウ、ソシンロウバイ、ソバ「種実」、ソメモノイモ、ソラマメ、ダイオウ(大黄)、大根、大豆、ダイダイ(橙皮、枳実)、タカサゴルリヒゴタイ(東南藍刺頭)、タカサブロウ(旱蓮草)、タカトウダイ(大戟)、タカワラビ(狗脊)、ダークスィートチェリー「果実」、タチアオイ、タチジャコウソウ(タイム、百里香)、タチドコロ(ヒカイ)、タチヤナギ、タマリンド「種子」、タマネギ、タムシバ(辛夷)、タラノキ「果実、葉、根皮」、タラヨウ(大葉冬青、一葉茶、苦丁茶、苦灯茶)、ダリア(テンジクボタン)、タルウィ、タンキリマメ、タンシウチワ、タンジン(丹参)、タンポポ(蒲公英)又はシロバナタンポ
ポ又はモウコタンポポ、ダンマル、チェリー「果実」、チガヤ「果実、根、芽」、チクセツニンジン(竹節人参)、チコリ、チャンカピエドラ(キダチコミカンソウ)、チューリップ、チョコノステイ、チョウセンアザミ(アーティチョーク)、チョウセンダイオウ(大黄)、チョウセンニレ(蕪夷)、チョウセンヨモギ(艾葉)、チョレイマイタケ(猪苓)、チョロギ、ツキミソウ、ツクシサカネラン、ツクリタケ(マッシュルーム)、ツチアケビ、ツバキ、ツボクサ、ツメクサ(漆姑草)、ツユクサ(鴨跖草)、ツルアズキ(赤小豆)、ツルツチアケビ、ツルドクダミ(何首烏)、ツルナ(蕃杏)、ツルニンジン(四葉参)、ツルマメ、ツワブキ、デイコ、テウチグルミ、デュベリー「果実」、テングサ、テンチャ(甜茶)、テンダイウヤク(烏薬)、トウガ(冬瓜子)、トウカギカズラ、トウガラシ(番椒)、トウキ(当帰)、トウキンセンカ(マリーゴールド)、トウサイカチ、トウナベナ(川断)、トウモロコシ又はトウモロコシ毛(南蛮毛)、トウネズミモチ(女貞子)、トウリンドウ又はチョウセンリンドウ(竜胆)、トクサ(木賊)、ドクダミ(十薬)、トコン(吐根)、トシシ又はマメダオシ又はネナシカズラ、トチュウ(杜仲「樹皮、葉、根」)、トネリコ(秦皮)、トマト、トラガント、トリアカンソス「種子」、トリュフ(セイヨウショウロタケ)、トルコキキョウ、トルメンチラ、ドロノキ、トロロアオイ、トンカマメ、ナイゼリアベリー「果実」、ナガイモ又はヤマノイモ(山薬)、ナギイカダ(ブッチャーブルーム)、ナギナタコウジュ、ナズナ、ナタネ、ナタマメ又はタテハキ(刀豆)、ナツミカン、ナツメ(大棗)、ナニワイバラ(金桜子)、ナベナ(続断)、ナメコ、ナンキンマメ(落花生)、ナンテン(南天実)、ナンバンカラムシ(苧麻)、ニオイスミレ、ニガキ(苦木)、ニガヨモギ(苦艾)、ニクズク、ケイ又はニッケイ又はセイロンニッケイ又はヤブニッケイ(桂皮)又はケイシ(桂枝)、ニョホウチドリ、ニラ(韮子)、ニワトコ(接骨木「果実、花、茎、葉」)、ニンニク(大蒜)、ヌルデ(五倍子)、ネギ、ネムノキ又はネブ又はネビ又はネムリノキ又はジゴクバナ(合歓)、ノアザミ(大薊)、ノイバラ(営実)、ノウゼンカズラ(凌霄花)、ノゲイトウ、ノコギリソウ、ノダケ(前胡)、ノバラ、ノモモ、パイナップル「果実」、ハイビスカス(ブッソウゲ、フウリンブッソウゲ、ローゼル)、ハイリンドウ、ハウチワ、パウ・ドーセ、ハカマウラボシ(骨砕補)、ハクカユマトウ、ハクサンチドリ、ハクセン(白癬皮)、ハクルベリー「果実」、ハコベ(繁縷)、ハシバミ(榛子)、ハシリドコロ(ロート根)、バジル、ハス(蓮、蓮肉、蓮子)、パセリ(オランダゼリ)、ハダカムギ、バタタ、ハチク又はマダケ(竹茹)、パチョリー、ハッカ(薄荷、薄荷葉)、ハッショウマメ、ハトムギ(ヨクイニン)、ハナスゲ(知母)、バナナ、ハナハッカ、ハナビシ(シツリシ、シシツリ)、バニラビンズ、パパイヤ、ハハコグサ(鼠麹草)、パハロボボ、ハブ「全草、茎、葉」、パプリカ、ハマカキラン、ハマゴウ又はミツバハマゴウ(蔓荊子)、ハマスゲ(香附子)、ハマビシ(シツ莉子)、ハマナス(マイカイ花)、ハマボウフウ(浜防風)、ハマメリス、パーム、バラ(薔薇)、バラータ、バラタゴムノキ、ハラタケ(ハラタケ、シロオオハラタケ、ウスキモリノカサ)、ハラン、パリウルス(セイヨウハマナツメ)、パリエタリア、ハルカンラン、バルサミーナ(ツルレイシ、ニガウ���)、ハルニレ(楡皮、楡白皮、楡葉)、バルバスコ、ハルリンドウ、ハンダイカイ(胖大海)、パンノキ、ヒオウギ(射干)、ヒカゲツルニンジン(党参)、ピーカンナッツ、ヒガンバナ(石蒜、蔓珠沙華)、ヒグルマダリア、ヒゴタイ、ヒシ(菱実)、ピスタチオ、ビート、ヒトツバ(石葦)、ヒトツバエニシダ、ヒナギク(デージー)、ヒナタイノコズチ(牛膝)、ヒナチヨドリ、ヒノキ、ヒバ、ヒマシ、ヒマワリ、ピーマン、ヒメウズ(天葵)、ヒメガマ(香蒲)、ヒメマツタケ(カワリハラタケ、ヒロマツタケ)、ヒメムヨウラン、ピメンタ「果実」、ビャクシ、ビャッキュウ、ヒユ「果実」、ヒヨコマメ、ヒラマメ、ビロウドアオイ、ヒロハオキナグサ(白頭翁)、ビワ「果実、葉、茎」、ビンロウ(大服皮、檳榔子)、プーアル茶（普?茶）、フウトウカズラ(南籐)、フキ、フキタンポポ(款冬花、款冬葉)、フジバカマ(蘭草)、フジマメ(扁豆)、フジモドキ(チョウジザクラ、芫花)、ブドウ「果実、果皮、種子、葉」、ブナ、フユムシナツクサタケ(冬虫夏草)、ブラジルカンゾウ、ブラジルニンジン、ブラジルヤシ、ブラジルゾウゲヤシ、ブラックカーラント「果実」、ブラックベリー、ブラーニェン、プラム「果実」、フルセラリア、ブルーベリー(セイヨウヒメスノキ)、プルーン、フローラルブランカ、ブロンドサイリウム、ブンドウ(緑豆)、ヘーゼルナッツ、ヘチマ、ヘツカラン、ベニバナ(紅花)、ヘネケン、ベラドンナ、ベリー「果実」、ペルセア、ペルビアンバーグ、ペレスキア・グランディフォリア、ベンケイソウ又はイキクサ(景天)、ボイセンベリー「果実」、ホウキギ又はニワクサ又はネンドウ又はハハキギ・コキア(地膚子)、ホウサイラン、ホウセンカ(鳳仙、急性子、透骨草)、ポウテリア・サポタ、ポウテリア・ルクマ、ホウノキ、ホウレンソウ、ホオズキ(登呂根)、ホオノキ(和厚朴、朴)、ボケ(木瓜)、ホソバアブラギク(苦ヨク)、ホソバオグルマ、ホソバナオケラ(蒼朮)、ホソバノキリンソウ(景天三七)、ホソババレンギク、ボダイジュ(菩醍樹)、ボタン(牡丹「花、葉、茎、樹皮」)、ボタンピ(牡丹皮)、ホップ、ホホバ、ボリジ(ルリチシャ)、ボルドー、ホワートルベリー「果実」、ホンオニク(肉じゅ蓉、大芸)、ホンセッコク(鉄皮石斛、雀山石斛)、マイズルテンナンショウ(天南星)、マイタケ(舞茸)、マオウ(麻黄)、マカ、マカデミアナッツ、マーガレット(モクシュンギク)、マクリ(海人草)、マグワ(桑白皮「樹皮、葉」)、マグノリア・スプレンゲリ、マサランヅーバ、マサランズーバ・ド・セアラー、マシェイラ・デ・ボイ、マシュア(タマノウゼンハレン、キュウコンキンレンカ)、マタタビ(木天蓼)、マツカサ、松「葉、樹皮、根」、マッタ・オーリョ、マツタケ(松茸)、マツホド(茯苓)、マティコ(コルドンシージョ)、マヨラム(ハナハッカ)、マルバノジャジン(苦参)、マルベリー「果実」、マルメロ、マレイン(ビロウドモウズイカ)、マンゴー、マンゴスチン、マンサーニャ(アンデスカミツレ)、マンシュウグルミ、マンダリン「果実」、マンネンタケ(霊芝)、キジツ(枳実「果実」)、ミシマサイコ(柴胡)、ミズオオバコ又はミズアサガオ(竜舌草)、ミゾカクシ(半辺蓮)、ミソハギ(千屈菜)、ミチヤナギ又はニワヤナギ(篇蓄)、ミツガシワ、ミツバ、ミドリサポテ、ミドリハッカ、ミモザ、ミョウガ、ミラクルフルーツ「果実」、ミルラ、ミロバラン、��ギワラギク、ムクゲ(木槿)、ムクノキ、ムクロジ(延命皮)、ムニャ、ムラサキ(紫根)、ムラサキシキブ又はオオムラサキシキブ(紫珠)、ムラサキトウモロコシ、ムラサキナツフジ(昆明鶏血藤)、メガカンサ・オプンティカ、メシマコブ(桑黄)、メハジキ(益母草)、メボウギ、メマツヨイグサ(月見草)、メラロイカ、メリッサ、メリロート、メロン「果実」、モウコヨモギ、モウソウチク、モクキリン、モジェ(コショウボク)、モチノキ、モッコウ(木香)、モミジバダイオウ、モモ(桃「葉、種子、花、果実」)、モヤシ、モレロチェリー「果実」、モロヘイヤ(黄麻)、ヤカワムラサキイモ、ヤクチ(益智)、ヤクヨウガレーガ、ヤグルマソウ(ヤグルマギク)、ヤグルマハッカ、ヤーコン、ヤーバサンタ、ヤシャブシ(矢車)又はヒメヤシャブシ又はオオバヤシャブシ「果実、果皮、果穂」、ヤチヤナギ、ヤツデ(八角金盤)、ヤドリギ(柳寄生)、ヤナギ(カワヤナギ、タチヤナギ、シダレヤナギ、アカメヤナギ、ネコヤナギ、イヌコリヤナギ、キヌヤナギ、コリヤナギ、ウンリュウヤナギ、ミヤマヤナギ、ヤシ、ヤマヤナギ、オオバヤナギ、タイリクキヌヤナギ、キツネヤナギ、ドロノキ)、ヤナギタデ「葉、茎」、ヤーバサンタ、ヤブガラシ、ヤブコウジ(紫金牛)、ヤブタバコ(鶴虱、天名精)、ヤマゴボウ(商陸)、ヤマドリタケ(ポルチーニ、セップ、シュタインピルツ)、ヤマハンノキ(山榛)、ヤマモモ(楊梅皮)、ヤマヨモギ、 ユーカリ、ユキノシタ(虎耳草)、ユッカ又はフレビフォリア、ユズ「果実」、ユリ、ヨロイグサ、ヨモギ(艾葉)、ライガン(雷丸)、ライム「果実」、ライムギ、ラカンカ「果実」、ラズベリー「葉、果実」、ラタニア(クラメリア)、ラッキョウ又はエシャロット(薤白)、ラベンダー、リュウガン(竜眼肉)、リュウゼツラン(アオノリュウゼツラン、フクリンリュウゼツラン)、リョクチャ(緑茶)、リンゴ「果実、種子、葉、根」、リンドウ、ルバス又はスアビシムス(甜涼)、ルリタマアザミ(ウラジロヒゴタイ、新彊藍刺頭)、レイシ(茘枝、茘枝核)、レタス(チシャ)、レッドカーラント「果実」、レッドピタヤ、レモン「果実」、レモングラス、レンギョウ又はシナレンギョウ(連翹)、レンゲソウ、ロウバイ(蝋梅)、ロウヤシ、ロコン(ヨシ、蘆根)、ローガンベリー「果実」、ローズマリー(マンネンロウ)、ローズヒップ(ノバラ)、ワサビ、ワタフジウツギ(密蒙花)、ワレモコウ(地楡)等が挙げられる。
【００４０】
海藻類としては、海藻［緑藻類：クロレラ・ブルガリス、クロレラ・ピレノイドサ、クロレラ・エリプソイデイア、アオノリ（ウスバアオノリ、スジアオノリ、ヒラアオノリ、ボウアオノリ、ホソエダアオノリ）、アナアオサ（アオサ）］、海藻［褐藻類：コンブ（マコンブ、リシリコンブ、ホソメコンブ、ミツイシコンブ）、ワカメ、ヒロメ、アオワカメ、ジャイアントケルプ（マクロシスティス・ピリフェラ、マクロシスティス・インテグリフォリア、ネオシティス・ルエトケアーナ）、ヒジキ、ヒバマタ、ウミウチワ、ウスバウミウチワ、キレバノウミウチワ、アカバウミウチワ、コナウミウチワ、オキナウチワ、ウスユキウチワ、エツキウミウチワ］、海藻［紅藻類：ヒジリメン、マクサ(テングサ)、ヒラクサ、オニクサ、オバクサ、カタオバクサ、ヤタベグサ、ユイキリ、シマテングサ、トサカノリ、トゲキリンサイ、アマクサキリンサイ、キリンサイ、ビャクシンキリンサイ、ツノマタ、オオバツノマタ、トチャカ(ヤハズツノマタ)、エゾツノマタ、トゲツノマタ、ヒラコトジ、コトジツノマタ、イボツノマタ、マルバツノマタ、ヒラコトジ、スギノリ、シキンノリ、カイノリ、ヤレウスバノリ、カギウスバノリ、スジウスバノリ、ハイウスバノリ、アカモミジノリ］等が代表的なものとして挙げられる。
【００４１】
又、その他の藻類、例えば、緑藻類（クラミドモナス属：クラミドモナス、アカユキモ、ドゥナリエラ属：ドゥナリエラ、クロロコッカス属：クロロコッカス、クワノミモ属：クワノミモ、ボルボックス属：オオヒゲマワリ、ボルボックス、パルメラ属、ヨツメモ属、アオミドロ属：ヒザオリ、アオミドロ、ツルギミドロ属、ヒビミドロ属：ヒビミドロ、アオサ属：アナアオサ、アミアオサ、ナガアオサ、カワノリ属：カワノリ、フリッチエラ属、シオグサ属：オオシオグサ、アサミドリシオグサ、カワシオグサ、マリモ、バロニア属：タマゴバロニア、タマバロニア、マガタマモ属：マガタマモ、イワヅタ属：フサイワヅタ、スリコギヅタ、ヘライワヅタ、クロキヅタ、ハネモ属、ミル属：ミル、クロミル、サキブチミル、ナガミル、ヒラミル、カサノリ属：カサノリ、ジュズモ属：フトジュズモ、タマジュズモ、ミゾジュズモ、ミカヅキモ属、コレカエテ属、ツヅミモ属、キッコウグサ属：キッコウグサ、ヒトエグサ属：ヒトエグサ、ヒロハノヒトエグサ、ウスヒトエグサ、モツキヒトエ、サヤミドロ属、クンショウモ属、スミレモ属：スミレモ、ホシミドロ属、フシナシミドロ属等）。
【００４２】
藍藻類（スイゼンジノリ属：スイゼンジノリ、アオコ属、ネンジュモ属：カワタケ、イシクラゲ、ハッサイ、ユレモ属、ラセンモ(スピルリナ)属：スピルリナ、トリコデスミウム(アイアカシオ)属等）。
【００４３】
褐藻類（ピラエラ属：ピラエラ、シオミドロ属：ナガミシオミドロ、イソブドウ属：イソブドウ、イソガワラ属：イソガワラ、クロガシラ属：グンセンクロガシラ、カシラザキ属：カシラザキ、ムチモ属：ムチモ、ヒラムチモ、ケベリグサ、アミジグサ属：アミジグサ、サキビロアミジ、サナダグサ属：サナダグサ、フクリンアミジ、コモングサ属：コモングサ、ヤハズグサ属：エゾヤハズ、ヤハズグサ、ウラボシヤハズ、ジガミグサ属：ジガミグサ、ウミウチワ属：ウミウチワ、コナウミウチワ、アカバウミウチワ、ナミマクラ属：ヒルナミマクラ、ソメワケグサ属：ソメワケグサ、ナバリモ属：ナバリモ、チャソウメン属：モツキチャソウメン、マツモ属：マツモ、ナガマツモ属：ナガマツモ、オキナワモズク属：オキナワモズク、ニセフトモズク属：ニセフトモズク、フトモズク属：フトモズク、イシモズク属：イシモズク、クロモ属：クロモ、ニセモズク属：ニセモズク、モズク属：モズク、イシゲ属：イシゲ、イロロ、イチメガサ属：イチメガサ、ケヤリ属：ケヤリ、ウミボッス属：ウミボッス、ウルシグサ属：ウルシグサ、ケウルシグサ、タバコグサ、コンブモドキ属：コンブモドキ、ハバモドキ属：ハバモドキ、ハバノリ属：ハバノリ、セイヨウハバノリ属：セイヨウハバノリ、コモンブクロ属：コモンブクロ、エゾブクロ属：エゾブクロ、フクロノリ属：フクロノリ、ワタモ、チシマフクロノリ属：チシマフクロノリ、カゴメノリ属：カゴメノリ、ムラリドリ属：ムラチドリ、サメズグサ属：サメズグサ、イワヒゲ属：イワヒゲ、ヨコジマノリ属：ヨコジマノリ、カヤモノリ属：カヤモノリ、ウイキョウモ属：ウイキョウモ、ツルモ属：ツルモ、アナメ属：アナメ、スジメ属：スジメ、ミスジコンブ属：ミスジコンブ、アツバミスジコンブ、コンブ属：ガツガラコンブ、カキジマコンブ、オニコンブ、ゴヘイコンブ、ナガコンブ、エンドウコンブ、オオチヂミコンブ、トロロコンブ属：トロロコンブ、アントクメ属：アントクメ、カジメ属：カジメ、ツルアラメ、クロメ、キクイシコンブ属：キクイシコンブ、ネジレコンブ属：ネジレコンブ、クロシオメ属：クロシオメ、ネコアシコンブ属：ネコアシコンブ、アラメ属：アラメ、アイヌワカメ属：アイヌワカメ、チガイソ、オニワカメエゾイシゲ属：エゾイシゲ、ヤバネモク属：ヤバネモク、ラッパモク属：ラッパモク、ジョロモク属：ウガノモク、ジョロモク、ヒエモク、ホンダワラ属：タマナシモク、イソモク、ナガシマモク、アカモク、シダモク、ホンダワラ、ネジモク、ナラサモ、マメタワラ、タツクリ、ヤツマタモク、ウミトラノオ、オオバモク、フシズシモク、ハハキモク、トゲモク、ヨレモク、ノコギリモク、オオバノコギリモク、スギモク属：スギモク、ウキモ属：オオウキモ、ブルウキモ属：ブルウキモ、カヤモノリ属：カヤモノリ等）。
【００４４】
紅藻類（ウシケノリ属：ウシケノリ、フノリノウシケ、アマノリ属：アサクサノリ、スサビノリ、ウップルイノリ、オニアマノリ、タサ、フイリタサ、ベニタサ、ロドコルトン属：ミルノベニ、アケボノモズク属：アケボノモズク、コナハダ属：ハイコナハダ、ヨゴレコナハダ、アオコナハダ、ウミゾウメン属：ウミゾウメン、ツクモノリ、カモガシラノリ、ベニモズク属：ベニモズク、ホソベニモズク、カサマツ属：カサマツ、フサノリ属：フサノリ、ニセフサノリ属：ニセフサノリ、ソデガラミ属：ソデガラミ、ガラガラ属：ガラガラ、ヒラガラガラ、ヒロハタマイタダキ属：ヒロハタマイタダキ、タマイタダキ属：タマイタダキ、カギケノリ属：カギノリ、カギケノリ、テングサ属：ヒメテングサ、ハイテングサ、オオブサ、ナンブグサ、コヒラ、ヨヒラ、キヌクサ、ヒビロウド属：ヒビロウド、ヒメヒビロウド、イソムメモドキ属：イソムメモドキ、 ミチガエソウ属：ミチガエソウ、リュウモンソウ属：リュウモンソウ、ヘラリュウモン、ニセカレキグサ属：ニセカレキグサ、オキツバラ属：オオバオキツバラ、アカバ属：アカバ、マルバアカバ、ナミノハナ属：ホソバナミノハナ、ナミノハナ、サンゴモドキ属：ガラガラモドキ、シオグサゴロモ属：シオグサゴロモ、イワノカワ属：エツキイワノカワ、カイノカワ属：カイノカワ、カニノテ属：カニノテ、サンゴモ属：サンゴモ、ムカデノリ属：ムカデノリ、スジムカデ、カタノリ、ヒラムカデ、キョウノヒモ、サクラノリ、ニクムカデ、タンバノリ、ツルツル、フダラク、マルバフダラク、イソノハナ属：ヌラクサ、クロヌラクサ、オオムカデノリ、ヒラキントキ属：ヒラキントキ、マタボウ属：マタボウ、キントキ属：チャボキントキ、キントキ、マツノリ、コメノリ、トサカマツ、ヒトツマツ、フシキントキ、ツノムカデ、ナガキントキ、スジムカデ、カクレイト属：オオバキントキ、イトフノリ属：イトフノリ、ナガオバネ属：ナガオバネ、フノリ属：ハナフノリ、フクロフノリ、マフノリ、カレキグサ属：カレキグサ、トサカモドキ属：ホソバノトサカモドキ、ヒロハノトサカモドキ、ヤツデガタトサカモドキ、クロトサカモドキ、ネザシノトサカモドキ、ユウソラ、エツキノトサカモドキ、ナンカイトサカモドキ、ヒメトサカモドキ、キヌハダ属：キヌハダ、エゾトサカ属：エゾトサカ、ツカサノリ属：エナシカリメニア、オオツカサノリ、ハナガタカリメニア、ホウノオ属：ホウノオ、ヒカゲノイト属：ヒカゲノイト、ウスギヌ、ニクホウノオ属：ニクホウノオ、ベニスナゴ属：ベニスナゴ、ススカケベニ属：ススカケベニ、オカムラグサ属：ヤマダグサ、ミリン属：ミリン、ホソバミリン、トサカノリ属：キクトサカ、エゾナメシ属：エゾナメシ、イソモッカ属：イソモッカ、ユカリ属：ユカリ、ホソユカリ、イバラノリ属：イバラノリ、サイダイバラ、タチイバラ、カギイバラノリ、キジノオ属：キジノオ、イソダンツウ属：イソダンツウ、アツバノリ属：アツバノリ、オゴノリ属：オゴノリ、ツルシラモ、シラモ、オオオゴノリ、ミゾオコノリ、カバノリ、ベニオゴノリ、フクレシノリ、ムラサキカバノリ、シンカイカバノリ、トゲカバノリ、カタオゴノリ、リュウキュウオゴノリ、セイヨウオゴノリ、イツツギヌ、ユミガタオゴノリ、クビレオゴ��リ、モサオゴノリ、キヌカバノリ、テングサモドキ属：ハチジョウテングサモドキ、フシクレノリ属：フシクレノリ、ナミイワタケ属：ナミイワタケ、カイメンソウ属：カイメンソウ、オキツノリ属：オキツノリ、サイミ属：イタニグサ、サイミ、ハリガネ、ハスジグサ属：ハスジグサ、スギノリ属：イカノアシ、ホソイボノリ、ノボノリ、クロハギンナンソウ属：クロハギンナンソウ、アカバギンナンソウ属：アカバギンナンソウ、ヒシブクロ属：ヒシブクロ、マダラグサ属：トゲマダラ、エツキマダラ、タオヤギソウ属：タオヤギソウ、ハナサクラ、フクロツナギ属：フクロツナギ、スジコノリ、ハナノエダ属：ハナノエダ、ヒラタオヤギ属：ヒラタオヤギ、ダルス属：ダルス、マサゴシバリ、アナダルス、ウエバグサ属：ウエバグサ、ベニフクロノリ属：ベニフクロノリ、フシツナギ属：フシツナギ、ヒメフシツナギ、ヒロハフシツナギ、ワツナギソウ属：ヒラワツナギソウ、ウスバワツナギソウ、イギス属：イギス、ケイギス、ハリイギス、ハネイギス、アミクサ、エゴノリ属：エゴノリ、フトイギス、サエダ属：サエダ、チリモミジ属：チリモミジ、コノハノリ科：ハブタエノリ、コノハノリ、スズシロノリ、ウスベニ属：ウスベニ、ハスジギヌ属：ハスジギヌ、ナガコノハノリ属：ナガコノハノリ、スジギヌ属：スジギヌ、アツバスジギヌ、ハイウスバノリ属：カギウスバノリ、ヤレウスバノリ、スジウスバノリ、ハイウスバノリ、ウスバノリモドキ属：ウスバノリモドキ、アヤニシキ属：アヤニシキ、アヤギヌ属：アヤギヌ、ダジア属：エナシダジア、シマダジア属：イソハギ、シマダジア、ダジモドキ属：ダジモモドキ、イトグサ属：モロイトグサ、フトイグサ、マクリ属：マクリ、ヤナギノリ属：ハナヤナギ、ユナ、ヤナギノリ、モツレユナ、ベニヤナギコリ、モサヤナギ、ササバヤナギノリ、ソゾ属：クロソゾ、コブソゾ、ハネソゾ、ソゾノハナ、ハネグサ属：ハネグサ、ケハネグサ、コザネモ属：コザネモ、イソムラサキ、ホソコザネモ、ヒメゴケ属：ヒメゴケ、クロヒメゴケ、ヒオドシグ属：キクヒオドシ、ヒオドシグサ、ウスバヒオドシ、アイソメグサ属：アイソメグサ、スジナシグサ属：スジナシグサ、イソバショウ属：イソバショウ、フジマツモ属：フジマツモ、ノコギリヒバ属：ハケサキノコギリヒバ、カワモズク属：カワモズク、アオカワモズク、ヒメカワモズク、イデユコゴメ属：イデユコゴメ、オキチモズク属：オキチモズク、イトグサ属、チノリモ属：チノリモ、チスジノリ属：チスジノリ等）。
【００４５】
車軸藻類（シャジクモ属、シラタマモ属、ホシツリモ属：ホシツリモ、リクノタムヌス属、フラスコモ属：ヒメフラスコモ、チャボフラスコモ、トリペラ属等）、黄色藻類（ヒカリモ属：ヒカリモ等）等。
【００４６】
又、動物系原料由来の素材としては、鶏冠抽出物、牛又は豚、人の胎盤抽出物、牛又は豚の胃、十二指腸、腸、脾臓の抽出物若しくはその分解物、牛又は豚の脳組織の抽出物、牛・豚又は魚類のコラーゲン加水（酸、アルカリ、酵素等）分解物や水溶性コラーゲン又はアシル化コラーゲン等のコラーゲン誘導体、牛・豚又は魚類のエラスチン又はエラスチン加水分解物（酸、アルカリ、酵素等）又は水溶性エラスチン誘導体、ケラチン及びその分解物又はそれらの誘導体、シルク蛋白及びその分解物又はそれらの誘導体、豚又は牛血球蛋白分解物（グロビンペプチド）、牛又は豚へモグロビン分解物（ヘミン、ヘマチン、ヘム、プロトヘム、ヘム鉄等）、牛乳、カゼイン及びその分解物又はそれらの誘導体、脱脂粉乳及びその分解物又はそれらの誘導体、ラクトフェリン又はその分解物、鶏卵成分、魚肉分解物、核酸関連物質（リボ核酸、デオキシリボ核酸）等。
【００４７】
又、植物又は動物系原料由来の素材としては、遺伝子組み替え体や細胞融合体由来の任意の部位、細胞、組織、器官、代謝物等も使用することができる。更に、任意の部位、細胞、組織、器官等を細胞培養することで得られる、例えば未分化細胞群や分化途中の細胞群等も使用することができる。
【００４８】
(14)海洋成分
深層水等の海水類、例えば、海水塩、海水乾燥物、死海又は大西洋又は太平洋の海より得た無機塩（塩化ナトリウム、塩化マグネシウム、塩化カリウム等)、海泥又は泥（ファンゴ）類、例えば、イタリアファンゴ、ドイツファンゴ、アイフェルファンゴ、フライブルグファンゴ等の各地の海泥又は泥（含有成分：二酸化珪素、二酸化チタン、酸化アルミニウム、酸化鉄、酸化マンガン、酸化ナトリウム、酸化カリウム、酸化マグネシウム、酸化カルシウム、酸化ストロンチウム、ナトリウム、カリウム、マグネシウム、カルシウム、クロム、鉄、銅、ニッケル、亜鉛、鉛、マンガン、ヒ素、水）、聖徳石、黒耀石等。
【００４９】
(15)微生物培養代謝物
酵母代謝物、酵母菌抽出エキス、細菌代謝物、細菌抽出エキス、カビ又は放線菌代謝物、カビ又は放線菌抽出エキス、納豆菌代謝物、納豆抽出エキス、米発酵エキス、米糠（赤糠、白糠）発酵エキス、ユーグレナ抽出物又はその分解物又はそれら水溶性誘導体、トレハロース又はその誘導体、生乳又は脱脂粉乳の乳酸発酵物、マメ科植物の乳酸菌発酵物、ココヤシ属植物の乳酸菌発酵物等。
【００５０】
(16)α-ヒドロキシ酸類
グリコール酸、クエン酸、リンゴ酸、酒石酸、乳酸等。
【００５１】
(17)無機顔料
無水ケイ酸、ケイ酸マグネシウム、タルク、カオリン、ベントナイト、マイカ、雲母チタン、オキシ塩化ビスマス、酸化ジルコニウム、酸化マグネシウム、酸化亜鉛、酸化チタン、炭酸カルシウム、炭酸マグネシウム、黄酸化鉄、ベンガラ、黒酸化鉄、グンジョウ、酸化クロム、水酸化クロム、カーボンブラック、カラミン等。
【００５２】
(18)紫外線吸収／遮断剤
ベンゾフェノン誘導体（2-ヒドロキシ-4-メトキシベンゾフェノン、2-ヒドロキシ-4-メトキシベンゾフェノン-5-スルホン酸、2-ヒドロキシ-4-メトキシベンゾフェノン-5-スルホン酸ナトリウム、ジヒドロキシジメトキシベンゾフェノン、ジヒドロキシジメトキシベンゾフェノン−スルホン酸ナトリウム、2,4-ジヒドロキシベンゾフェノン、テトラヒドロキシベンゾフェノン等）、パラアミノ安息香酸誘導体（パラアミノ安息香酸、パラアミノ安息香酸エチル、パラアミノ安息香酸グリセリル、パラジメチルアミノ安息香酸アミル、パラジメチルアミノ安息香酸オクチル等）、メトキシ桂皮酸誘導体（パラメトキシ桂皮酸エチル、パラメトキシ桂皮酸イソプロピル、パラメトキシ桂皮酸オクチル、パラメトキシ桂皮酸2-エトキシエチル、パラメトキシ桂皮酸ナトリウム、パラメトキシ桂皮酸カリウム、ジパラメトキシ桂皮酸モノ-2-エチルヘキサン酸グリセリル等）、サリチル酸誘導体（サリチル酸オクチル、サリチル酸フェニル、サリチル酸ホモメンチル、サリチル酸ジプロピレングリコール、サリチル酸エチレングリコール、サリチル酸ミリスチル、サリチル酸メチル等）、アントラニル酸誘導体（アントラニル酸メチル等）、ウロカニン酸誘導体（ウロカニン酸、ウロカニン酸エチル等）、クマリン誘導体、アミノ酸系化合物、ベンゾトリアゾール誘導体、テトラゾール誘導体、イミダゾリン誘導体、ピリミジン誘導体、ジオキサン誘導体、カンファー誘導体、フラン誘導体、ピロン誘導体、核酸誘導体、アラントイン誘導体、ニコチン酸誘導体、ビタミンＢ６誘導体、ウンベリフェロン、エスクリン、桂皮酸ベンジル、シノキサート、オキシベンゾン、ジオキシベンゾン、オクタベンゾン、スリソベンゾン、ベンゾレソルシノール、アルブチン、グアイアズレン、シコニン、バイカリン、バイカレイン、ベルベリン、ネオヘリオパン、エスカロール、酸化亜鉛、タルク、カオリン等。
【００５３】
(19)美白剤
パラアミノ安息香酸誘導体、サルチル酸誘導体、アントラニル酸誘導体、クマリン誘導体、アミノ酸系化合物、ベンゾトリアゾール誘導体、テトラゾール誘導体、イミダゾリン誘導体、ピリミジン誘導体、ジオキサン誘導体、カンファー誘導体、フラン誘導体、ピロン誘導体、核酸誘導体、アラントイン誘導体、ニコチン酸誘導体、ビタミンＥ又はその誘導体、コウジ酸又はその誘導体、オキシベンゾン、ベンゾフェノン、アルブチン、グアイアズレン、シコニン、バイカリン、バイカレイン、ベルベリン、胎盤エキス、エラグ酸、ルシノール等。
【００５４】
(20)チロシナーゼ活性阻害剤
ハイドロキノン又はその誘導体（ハイドロキノンベンジルエーテル等）、コウジ酸又はその誘導体、ビタミンＥ又はその誘導体、Ｎ−アセチルチロシン又はその誘導体、グルタチオン、過酸化水素、過酸化亜鉛、胎盤エキス、エラグ酸、アルブチン、ルシノール、シルク抽出物、植物エキス（カミツレ、クワ、クチナシ、トウキ、ワレモコウ、クララ、ヨモギ、スイカズラ、キハダ、ドクダミ、マツホド、ハトムギ、オドリコソウ、ホップ、サンザシ、ユーカリ、セイヨウノコギリソウ、アルテア、ケイヒ、マンケイシ、ハマメリス、カラグワ又はヤマグワ、延命草、桔梗、トシシ、続随子、射干、麻黄、センキュウ、ドッカツ、サイコ、ボウフウ、ハマボウフウ、オウゴン、牡丹皮、シャクヤク、ゲンノショウコ、葛根、甘草、五倍子、アロエ、ショウマ、紅花、緑茶、紅茶、阿仙薬）等。
【００５５】
(21)メラニン色素還元／分解物質
フェニル水銀ヘキサクロロフェン、酸化第二水銀、塩化第一水銀、過酸化水素水、過酸化亜鉛、ハイドロキノン又はその誘導体（ハイドロキノンベンジルエーテル）等。
【００５６】
(22)ターンオーバーの促進作用／細胞賦活物質
ハイドロキノン、乳酸菌エキス、胎盤エキス、霊芝エキス、ビタミンＡ、ビタミンＥ、アラントイン、脾臓エキス、胸腺エキス、酵母エキス、発酵乳エキス、植物エキス（アロエ、オウゴン、スギナ、ゲンチアナ、ゴボウ、シコン、ニンジン、ハマメリス、ホップ、ヨクイニン、オドリコソウ、センブリ、トウキ、トウキンセンカ、アマチャ、オトギリソウ、キュウリ、タチジャコウソウ、マンネンロウ、パセリ）等。
【００５７】
(23)収斂剤
コハク酸、アラントイン、塩化亜鉛、硫酸亜鉛、酸化亜鉛、カラミン、パラフェノールスルホン酸亜鉛、硫酸アルミニウムカリウム、レゾルシン、塩化第二鉄、タンニン酸（カテキン化合物を含む）等。
【００５８】
(24)活性酸素消去剤   
ＳＯＤ、カタラーゼ、グルタチオンパーオキシダーゼ等。
【００５９】
(25)抗酸化剤
ビタミンＣ又はその塩、ステアリン酸エステル、ビタミンＥ又はその誘導体、ノルジヒドログアセレテン酸、ブチルヒドロキシトルエン（ＢＨＴ）、ブチルヒドロキシアニソール（ＢＨＡ）、ヒドロキシチロソール、パラヒドロキシアニソール、没食子酸プロピル、セサモール、セサモリン、ゴシポール、プロポリス等。
【００６０】
(26)過酸化脂質生成抑制剤
β-カロチン、植物エキス（ゴマ培養細胞、アマチャ、オトギリソウ、ハマメリス、チョウジ、メリッサ、エンメイソウ、シラカバ、サルビア、マンネンロウ、南天実、エイジツ、イチョウ、緑茶）等。
【００６１】
(27)抗炎症剤
イクタモール、インドメタシン、カオリン、サリチル酸、サリチル酸ナトリウム、サリチル酸メチル、アセチルサリチル酸、d-カンフル、dl-カンフル、カマズレン、甘草エキス、シコンエキス、エイジツエキス、プロポリス等。
【００６２】
(28)抗菌・殺菌・消毒薬
アクリノール、グルコン酸カルシウム、グルコン酸クロルヘキシジン、スルファミン、マーキュロクロム、ラクトフェリン又はその加水分解物、塩化アルキルジアミノエチルグリシン液、トリクロサン、次亜塩素酸ナトリウム、クロラミンＴ、サラシ粉、ヨウ素化合物、ヨードホルム、ソルビン酸又はその塩、プロピオン酸又はその塩、サルチル酸、デヒドロ酢酸、パラヒドロキシ安息香酸エステル類、ウンデシレン酸、チアミンラウリル硫酸塩、チアミンラウリル硝酸塩、フェノール、クレゾール、p-クロロフェノール、p-クロロ-m-キシレノール、p-クロロ-m-クレゾール、チモール、フェネチルアルコール、O-フェニルフェノール、イルガサンCH3565、ハロカルバン、ヘキサクロロフェン、クロロヘキシジン、エタノール、メタノール、イソプロピルアルコール、ベンジルアルコール、エチレングリコール、プロピレングリコール、2-フェノキシエタノール、1,2-ペンタンジオール、ジンクピリジオン、クロロブタノール、イソプロピルメチルフェノール、非イオン界面活性剤（ポリオキシエチレンラウリルエーテル、ポリオキシエチレンノニルフェニルエーテル、ポリオキシエチレンオクチルフェニルエーテル等）、両性界面活性剤、アニオン界面活性剤（ラウリル硫酸ナトリウム、ラウロイルサルコシンカリウム等）、カチオン界面活性剤（臭化セチルトリメチルアンモニウム、塩化メチルロザニリン）、ホルムアルデヒド、ヘキサミン、ブリリアントグリーン、マラカイトグリーン、クリスタルバイオレット、ジャーマル、感光素１０１号、感光素２０１号、感光素４０１号、N-長鎖アシル塩基性アミノ酸誘導体及びその酸附加塩、酸化亜鉛、ヒノキチオール、クジン、プロポリス等。
【００６３】
(29)保湿剤
グリセリン、プロピレングリコール、1,3-ブチレングリコール、ポリエチレングリコール、トリカプリルカプリン酸グリセリン、グリコール酸（αーヒドロキシ酸）、ヒアルロン酸又はその塩、コンドロイチン硫酸又はその塩、水溶性キチン又はその誘導体或いはキトサン誘導体、ピロリドンカルボン酸又はその塩、乳酸ナトリウム、尿素、ソルビトール、アミノ酸又はその誘導体（バリン、ロイシン、イソロイシン、トレオニン、メチオニン、フェニルアラニン、トリプトファン、リジン、グリシン、アラニン、アスパラギン、グルタミン、セリン、システイン、シスチン、チロシン、プロリン、ヒドロキシプロリン、アスパラギン酸、グルタミン酸、ヒドロキシリジン、アルギニン、オルニチン、ヒスチジンや、それらの硫酸塩、リン酸塩、硝酸塩、クエン酸塩、或いはピロリドンカルボン酸）、油脂類「アボガド油、アーモンド油、ウイキョウ油、エゴマ油、オリーブ油、オレンジ油、オレンジラファー油、ゴマ油、カカオ脂、カミツレ油、カロット油、キューカンバー油、牛脂脂肪酸、クインスシード油、ククイナッツ油、サフラワー油、シア脂、液状シア脂、大豆油、ツバキ油、トウモロコシ油、ナタネ油、ホホバ油、パーシック油、ヒマシ油、ヒマワリ油、綿実油、落花生油、タートル油、ティートリー油、ミンク油、卵黄油、パーム油、パーム核油、モクロウ、ヤシ油、ユーカリ油、牛脂、豚脂、スクワレン、スクワラン、プリスタン又はこれら油脂類の水素添加物（硬化油）」、ロウ類（ミツロウ、カルナバロウ、鯨ロウ、ラノリン、液状ラノリン、還元ラノリン、硬質ラノリン、カンデリラロウ、モンタンロウ、セラックロウ、ライスワックス）、鉱物油（流動パラフィン、ワセリン、パラフィン、オゾケライド、セレシン、マイクロクリスタンワックス）、納豆菌代謝物、納豆抽出エキス、絹繊維抽出物、植物エキス（赤松樹液、アロエ、葛根、カミツレ、甘草、キュウリ、甘草、米又は米糠、紫根、白樺又は白樺樹液、センブリ、桑白皮、琵琶葉、ヘチマ、牡丹皮、蓬）等。
【００６４】
(30)エラスターゼ活性阻害剤
フロオロリン酸ジイソプロピル、植物エキス（オウゴン、オトギリソウ、クララ、桑の葉、ケイヒ、ゲンノショウコ、コンフリー、サルビア、セイヨウニワトコ、ボダイジュ、ボタンピ）、海藻エキス等。
【００６５】
(31)頭髪用剤
二硫化セレン、臭化アルキルイソキノリニウム液、ジンクピリチオン、ビフェナミン、チアントール、カスタリチンキ、ショウキョウチンキ、トウガラシチンキ、塩酸キニーネ、強アンモニア水、臭素酸カリウム、臭素酸ナトリウム、チオグリコール酸等。
【００６６】
(32)抗アンドロゲン剤
卵胞ホルモン（エストロン、エストラジオール、エチニルエストラジオール等）、イソフラボン、オキセンドロン等。
【００６７】
(33)末梢血管血流促進剤
ビタミンＥ又はその誘導体、センブリエキス、ニンニクエキス、人参エキス、アロエエキス、ゲンチアナエキス、トウキエキス、セファランチン、塩化カルプロニウム、ミノキシジル等。
【００６８】
(34)刺激剤
トウガラシチンキ、ノニル酸バニルアミド、カンタリスチンキ、ショウキョウチンキ、ハッカ油、l-メントール、カンフル、ニコチン酸ベンジル等。
【００６９】
(35)代謝活性剤
感光素３０１号、ヒノキチオール、パントテン酸又はその誘導体、アラントイン、胎盤エキス、ビオチン、ペンタデカン酸グリセリド等。
【００７０】
(36)抗脂漏剤
ピリドキシン又はその誘導体、ビタミンＢ６等。
【００７１】
(37)角質溶解剤
レゾルシン、サリチル酸、乳酸,尿素等。
【００７２】
(38)酸化剤
過酸化水素水、過硫酸ナトリウム、過硫酸アンモニウム、過ホウ酸ナトリウム、過酸化尿素、過炭酸ナトリウム、過酸化トリポリリン酸ナトリウム、臭素酸ナトリウム、臭素酸カリウム、過酸化ピロリン酸ナトリウム、過酸化オルソリン酸ナトリウム、ケイ酸ナトリウム過酸化水素付加体、硫酸ナトリウム過酸化水素付加体、塩化ナトリウム過酸化水素付加体、β-チロシナーゼ酵素液、マッシュルーム抽出液等。
【００７３】
(39)除毛剤
硫酸ストロンチウム、硫化ナトリウム、硫化バリウム、硫化カルシウム等の無機系還元剤、チオグリコール酸又はその塩類（チオグリコール酸カルシウム、チオグリコール酸ナトリウム、チオグリコール酸リチウム、チオグリコール酸マグネシウム、チオグリコール酸ストロンチウム）等。
【００７４】
(40)毛髪膨潤剤
エタノールアミン、尿素、グアニジン等。
【００７５】
(41)染料剤
5-アミノオルトクレゾール、2-アミノ-4-ニトロフェノール、2-アミノ-5-ニトロフェノール、1-アミノ-4-メチルアミノアントラキノン、3,3′-イミノジフェノール、塩酸2,4-ジアミノフェノキシエタノール、塩酸2,4-ジアミノフェノール、塩酸トルエン-2,5-ジアミン、塩酸ニトロパラフェニレンジアミン、塩酸パラフェニレンジアミン、塩酸N-フェニルパラフェニレンジアミン、塩酸メタフェニレンジアミン、オルトアミノフェノール、酢酸Ｎ−フェニルパラフェニレンジアミン、1,4-ジアミノアントラキノン、2,6-ジアミノピリジン、1,5-ジヒドロキシナフタレン、トルエン-2,5-ジアミン、トルエン-3,4-ジアミン、ニトロパラフェニレンジアミン、パラアミノフェノール、パラニトロオルトフェニレンジアミン、パラフェニレンジアミン、パラメチルアミノフェノール、ピクラミン酸、ピクラミン酸ナトリウム、N,N′-ビス（4-アミノフェニル）-2,5-ジアミノ-1,4-キノンジイミン、5-（2-ヒドロキシエチルアミノ）-2-メチルフェノール、N-フェニルパラフェニレンジアミン、メタアミノフェノール、メタフェニレンジアミン、硫酸5-アミノオルトクレゾール、硫酸2-アミノ-5-ニトロフェノール、硫酸オルトアミノフェノール、硫酸オルトクロルパラフェニレンジアミン、硫酸4,4′-ジアミノジフェニルアミン、硫酸2,4-ジアミノフェノール、硫酸トルエン-2,5-ジアミン、硫酸ニトロパラフェニレンジアミン、硫酸パラアミノフェノール、硫酸パラニトロオルトフェニレンジアミン、硫酸パラニトロメタフェニレンジアミン、硫酸パラフェニレンジアミン、硫酸パラメチルアミノフェノール、硫酸メタアミノフェノール、硫酸メタフェニレンジアミン、カテコール、ジフェニルアミン、α−ナフトール、ヒドロキノン、ピロガロール、フロログルシン、没食子酸、レゾルシン、タンニン酸、2-ヒドロキシ-5-ニトロ-2′,4′-ジアミノアゾベンゼン-5′-スルホン酸ナトリウム、ヘマテイン等。
【００７６】
(42)香料
ジャコウ、シベット、カストリウム、アンバーグリス等の天然動物性香料、アニス精油、アンゲリカ精油、イランイラン精油、イリス精油、ウイキョウ精油、オレンジ精油、カナンガ精油、カラウェー精油、カルダモン精油、グアヤクウッド精油、クミン精油、黒文字精油、ケイ皮精油、シンナモン精油、ゲラニウム精油、コパイババルサム精油、コリアンデル精油、シソ精油、シダーウッド精油、シトロネラ精油、ジャスミン精油、ジンジャーグラス精油、杉精油、スペアミント精油、西洋ハッカ精油、大茴香精油、チュベローズ精油、丁字精油、橙花精油、冬緑精油、トルーバルサム精油、バチュリー精油、バラ精油、パルマローザ精油、桧精油、ヒバ精油、白檀精油、プチグレン精油、ベイ精油、ベチバ精油、ベルガモット精油、ペルーバルサム精油、ボアドローズ精油、芳樟精油、マンダリン精油、ユーカリ精油、ライム精油、ラベンダー精油、リナロエ精油、レモングラス精油、レモン精油、ローズマリー(マンネンロウ)精油、和種ハッカ精油等の植物性香料、その他合成香料等。
【００７７】
(43)色素・着色剤
赤キャベツ色素、赤米色素、アカネ色素、アナトー色素、イカスミ色素、ウコン色素、エンジュ色素、オキアミ色素、柿色素、カラメル、金、銀、クチナシ色素、コーン色素、タマネギ色素、タマリンド色素、スピルリナ色素、ソバ全草色素、チェリー色素、海苔色素、ハイビスカス色素、ブドウ果汁色素、マリーゴールド色素、紫イモ色素、紫ヤマイモ色素、ラック色素、ルチン等。
【００７８】
(44)その他
ホルモン類、金属イオン封鎖剤、ｐＨ調整剤、キレート剤、防腐・防バイ剤、清涼剤、安定化剤、乳化剤、動・植物性蛋白質及びその分解物、動・植物性多糖類及びその分解物、動・植物性糖蛋白質及びその分解物、血流促進剤、抗炎症剤・消炎剤・抗アレルギー剤、創傷治療剤、増泡剤、増粘剤、酵素、精製水（電子水、小クラスター化等）、口腔用剤、消臭・脱臭剤、苦味料等が挙げられ、これらと併用することによって、本発明効果又は他の美容的効果の相加的又は相乗的向上が期待できる。
【実施例】
【００７９】
以下に製造例、試験例及び処方例を挙げて本発明を更に詳細に説明するが、本発明はこれらになんら制約されるものではない。
【００８０】
（製造例１）
4℃にて冷所保存のBacillus subtilisを前培養用液体培地に１loop接種し、25℃にて72時間、100strokes/minで振盪培養した。培養後の培養液から遠心分離機を用いて菌体を採取し、滅菌済み精製水にて菌体を洗浄した。洗浄後の菌体をγ−ポリグルタミン酸生産用液体培地に回収した菌体を全て添加し、培養0〜24時間までは温度28℃及びpH8.0、酸素移動容量係数0.009min-1の培養条件で培養を行い、培養24〜168時間までは温度25℃及びpH6.0、酸素移動容量係数0.007min-1の培養条件で培養を行い、計7日間通気培養を行った。培養後、培養液を濾過して菌体を除去し、得られた濾液に99.9％エタノールを濾液全量に対し半量添加し撹拌することで析出物を得た。得られた析出物を更に99.9％エタノールにて更に余剰水分を除去することを目的として洗浄し、洗浄後の析出物を精製水に溶解することでγ−ポリグルタミン酸溶液を得た。そしてこの得られたγ−ポリグルタミン酸溶液の濃度を精製水にて調節して、0.02w／v％のγ−ポリグルタミン酸溶液を製造した。
【００８１】
〔前培養用液体培地組成〕
グルコース                    １．０w／v％
スクロース                    １．０w／v％
Ｌ−グルタミン酸ナトリウム    ５．０w／v％
塩化ナトリウム                ０．０１w／v％
硫酸マグネシウム７水和物      ０．００５w／v％
リン酸一カリウム              ０．５w／v％
ビオチン                      ０．０００１w／v％
全量                          ５００mL（１００mL／５００mL容振盪フラスコ×５本）
【００８２】
〔γ−ポリグルタミン酸生産用液体培地組成〕
グルコース                    １．５w／v％
スクロース                    １．５w／v％
Ｌ−グルタミン酸ナトリウム    ５．０w／v％
塩化ナトリウム                ０．０２w／v％
硫酸マグネシウム７水和物      ０．０１w／v％
リン酸一カリウム              ０．５w／v％
ビオチン                     ０．００００１w／v％
全量                          １０L（１５L容ジャーファーメンター）
【００８３】
（試験例１）保湿効果試験
「試験方法及び評価方法」
ヘアレスマウス３匹ずつ３群に分け、１群にγ−ポリグルタミン酸（平均分子量約３００万、固形分濃度0.3％）溶液を１日１回約２mlを連続８日間に渡り塗布しイオン導入器VITALIONT 
II（I・J・G株式会社製）にて施術を行い、もう１群（対照）には、イオン導入器を使用せずγ−ポリグルタミン酸溶液を１日１回約２mlを連続８日間に渡り塗布するだけとし、残りの1群（対照）には何も塗布（無塗布）をせず、それぞれ塗布前と塗布開始８日目の角層水分含有量をSKICON-200（IBS株式会社製）、経表皮水分喪失量をTEWAMETER TM210（COURAGE+KHAZAKA Electronic GmbH製 GERMANY）にて測定試験を実施した。尚、γ−ポリグルタミン酸溶液は２０％１，３−ブチレングリコール水溶液を使用、塗布前の角層水分含有量及び経表皮水分喪失量を100％とし、測定値の平均値を変化率として算出した。結果を図１〜２に示した。
【００８４】
又、イオン導入器はピンセット型の電極を使用し、金属部分が露出しないように綿花を巻き付けてγ−ポリグルタミン酸溶液を染みこませて施術した。極性はマイナスで、０．３mAにて適用、測定は温度２０℃、湿度５０％の恒温恒湿室にて実施した。
【００８５】
（試験結果）
図１〜２の通り、イオン導入器を使用して施術したγ−ポリグルタミン酸溶液は、γ−ポリグルタミン酸溶液を単に塗布した場合に比べ、角層水分含有量が増加し、又、同様に経表皮水分喪失量も抑制でき、高い保湿効果を示すことが確認できた。尚、γ−ポリグルタミン酸の塩についても同様の結果が得られた。
【００８６】
（試験例２）美白効果試験
「試験方法及び評価方法」
褐色モルモット（５匹ずつ４群）の背部を剃毛した後、皮膚に2×2cmの正方形窓が４個開いた遮光用シートを接着させ、紫外線（UVB；東芝製FL-20SE lamp６灯，波長域280〜320nm，被照射面との距離25cm，紫外線強度0.47mW/cm2（Topcon紫外線強度計UVR-1にて測定））を１日１回５分間照射し、この処理を３日間行った。
【００８７】
試料の塗布は、紫外線照射直後翌日より開始し、１日１回１４日間継続した。尚、イオン導入器を用いて試料を１個所当たり0.1mL塗布し、測定日には温水にて試料を除去した。評価は、試験開始後１４日目の皮膚試験部位のL*値（明度）を１０個所測定（ミノルタ製色彩色差計CR-200）し、測定値の平均値（明度）を算出して評価を行い、結果を表１に示した。
【００８８】
試料はγ−ポリグルタミン酸溶液（平均分子量約５０万、固形分濃度0.3％）にアスコルビン酸リン酸エステル（固形分濃度1.0％）を加えた溶液、γ−ポリグルタミン酸溶液（平均分子量約５０万、固形分濃度0.3％）にアスコルビン酸ナトリウム（固形分濃度1.0％）を加えた溶液、γ−ポリグルタミン酸溶液（平均分子量約５０万、固形分濃度1.0％）にアスコルビン酸グルコシド（固形分濃度1.0％）を加えた溶液を用い、対照として、アスコルビン酸リン酸エステル溶液（固形分濃度1.0％）のみ、アスコルビン酸ナトリウム溶液（固形分濃度1.0％）のみ、アスコルビン酸グルコシド溶液（固形分濃度1.0％）のみを用いた。尚、イオン導入器はピンセット型の電極を使用し、金属部分が露出しないように綿花を巻き付けて各試料を染みこませて塗布した。極性はマイナスで、０．３mAにて適用、測定は温度２０℃、湿度５０％の恒温恒湿室にて実施した。
【００８９】
【表１】
2005035957.tif 000004
【００９０】
（試験結果）
表１の通り、イオン導入器を使用して施術した、γ−ポリグルタミン酸溶液にアスコルビン酸リン酸エステル又はアスコルビン酸ナトリウム又はアスコルビン酸グルコシドを加えた各溶液は、アスコルビン酸リン酸エステル又はアスコルビン酸ナトリウム、アスコルビン酸グルコシドのみの溶液と比較して、明度が試験前に近い数値を示しており、皮膚明度の早期回復に優れた効果を有することが確認できた。又、γ−ポリグルタミン酸をγ−ポリグルタミン酸の塩に置き換えて同一の試験を行ったところ、同様の結果が得られた。
【００９１】
（試験例３）抗炎症効果試験
「試験方法及び評価方法」
白色モルモット（ハートレー系，１群５匹）の背部を剃毛した後、皮膚に2×2cmの正方形窓が４個開いた遮光用シートを接着させ、紫外線（UVB；東芝製FL-20SE lamp６灯，波長域280〜320nm，被照射面との距離25cm，紫外線強度0.47mW/cm2（Topcon紫外線強度計UVR-1にて測定））を１日１回５分間照射し、この処理を３日間行った。
【００９２】
試料の塗布は、紫外線照射直後翌日より開始し、１日１回６日間継続した。尚、イオン導入器を用いて試料を１個所当たり0.1mL塗布し、測定日には温水にて試料を除去した。判定は、試験開始後６日目の皮膚状態を下記の判定基準に基づき目視にて評価を行い、測定値の平均値（明度）を算出して評価を行い、結果を表２に示した。
「判定基準」
紅斑、落屑ともほとんどみられない    １点
弱い紅斑                            ２点
中等度の紅斑                        ３点
著しい紅斑                          ４点
【００９３】
試料はγ−ポリグルタミン酸溶液（平均分子量約１００万、固形分濃度0.3％）にアズレン（固形分濃度1.0％）を加えた溶液、γ−ポリグルタミン酸溶液（平均分子量約１００万、固形分濃度1.0％）にグリチルリチン酸ジカリウム（固形分濃度1.0％）を加えた溶液を用い、対照として、アズレン溶液（固形分濃度1.0％）のみ、グリチルリチン酸ジカリウム溶液（固形分濃度1.0％）のみを用いた。尚、イオン導入器はピンセット型の電極を使用し、金属部分が露出しないように綿花を巻き付けて各試料を染みこませて塗布した。極性はマイナスで、０．３mAにて適用、測定は温度２０℃、湿度５０％の恒温恒湿室にて実施した。
【００９４】
【表２】
2005035957.tif 000005
【００９５】
（試験結果）
表２の通り、イオン導入器を使用して施術した、γ−ポリグルタミン酸溶液にアズレン又はグリチルリチン酸ジカリウムを加えた各溶液は、アズレン又はグリチルリチン酸ジカリウムのみの溶液に比べ、紫外線による炎症反応においても予防又紫外線による炎症反応においても予防又は改善に優れた効果を有することが確認できた。又、γ−ポリグルタミン酸をγ−ポリグルタミン酸の塩に置き換えて同一の試験を行ったところ、同様の結果が得られた。
【００９６】
（試験例４）抗アクネ試験
「試験方法及び評価方法」
ニキビ肌で悩む成人女性２０〜３０歳の各１０名をパネラーとし、１日１回、洗顔後に試料を顔全面に２ヶ月に渡って塗布した。尚、イオン導入器を用いて試料を顔全面に約５mL塗布した。尚、判定は、試験開始後２ヶ月後の皮膚状態を下記の判定基準に基づき評価を行い、測定値の平均値を算出して評価を行い、結果を表３に示した。尚、使用期間中に皮膚の異常を訴えた者は無かった。
「判定基準」
ニキビが完治した。            １点
ニキビが著しく改善された。    ２点
ニキビがやや改善された。      ３点
使用前と変わらず。            ４点
【００９７】
試料はγ−ポリグルタミン酸溶液（平均分子量約１０万、固形分濃度0.3％）に2,2,4-トリクロロ-2-ヒドロキシフェノール（固形分濃度0.5％）を加えた溶液、γ−ポリグルタミン酸溶液（平均分子量約１０万、固形分濃度0.3％）にレゾルシン（固形分濃度0.5％）を加えた溶液を用い、対照として、2,2,4-トリクロロ-2-ヒドロキシフェノール溶液のみ（固形分濃度0.5％）、レゾルシン溶液のみ（固形分濃度0.5％）を用いた。尚、イオン導入器はピンセット型の電極を使用し、金属部分が露出しないように綿花を巻き付けて各試料を染みこませて塗布した。極性はマイナスで、０．３mAにて適用、測定は温度２０℃、湿度５０％の恒温恒湿室にて実施した。
【００９８】
【表３】
2005035957.tif 000006
【００９９】
（試験結果）
表３の通り、イオン導入器を使用して施術した、γ−ポリグルタミン酸に2,2,4-トリクロロ-2-ヒドロキシフェノール又はレゾルシンを加えた各溶液は、2,2,4-トリクロロ-2-ヒドロキシフェノール又はレゾルシンのみによる溶液と比べ、ニキビの改善に優れた効果を有することが確認できた。又、γ−ポリグルタミン酸をγ−ポリグルタミン酸の塩に置き換えて同一の試験を行ったところ、同様の結果が得られた。
【０１００】
（試験例５）安全性試験
（１）皮膚一次刺激性試験
γ−ポリグルタミン酸を固形分濃度が約1.0％になるように調製し、これを背部を剪毛したハートレー系モルモット（雌性，１群３匹，体重300〜350g）の皮膚の２×２cm２の四角当たり0.03mlずつ塗布した。判定は、適用後24，48，72時間に一次刺激性の評点法により紅斑及び浮腫を指標として行った。その結果、全ての動物において、何等、紅斑及び浮腫を認めず陰性と判定された。
【０１０１】
（試験例６）安全性試験
（２）皮膚累積刺激性試験
γ−ポリグルタミン酸を固形分濃度が約1.0％となるように調製し、これを側腹部を剪毛（2×4cm２）したハートレー系モルモット（雌性，１群３匹，体重320g前後）の皮膚に１日１回、週５回、0.5ml／動物当りを塗布した。塗布は２週にわたって、又、剪毛は各週の最終塗布日に行った。判定は、各塗布日及び最終塗布日の翌日に一次刺激性の評点法により紅斑及び浮腫を指標として行った。その結果、全ての動物において、塗布後２週間にわたって、何等、紅斑及び浮腫を認めず陰性と判断された。
【０１０２】
（試験例７）安全性試験
（３）単回投与毒性試験
γ−ポリグルタミン酸を12.5％濃度になるよう精製水にて調整し、一匹につき16mL／kg量を、試験前、16時間絶食させたddy系マウス（雄性及び雌性、１群５匹、５週齢）に経口にてゾンデを以て投与し、毒性症状の発現、程度等を経時的に観察した。その結果、全てのマウスにおいて14日間、何等異常を認めず、解剖の結果も異常がなかった。よって、LD５０は2,000mg／kg以上であり、安全な物質と判断した。
【０１０３】
（処方例）イオン導入用外用剤組成物の製造
上記の評価結果に従い、以下にその処方例を示すが、各処方例は各製品の製造における常法により製造したもので良く、配合量のみを示した。又、本発明はこれらに限定されるわけではない。
【０１０４】
（処方例１）乳液状組成物                                      質量％
1.セチルアルコール                                     
1.5
2.グリセリンモノステアレート                           
2.0
3.ポリオキシエチレン(20)セチルエーテル                 
3.0
4.ポリオキシエチレン(20)ソオルビタンモノオレート       
2.0
5.1,3-ブチレングリコール                               
1.0
6.γ−ポリグルタミン酸   
0.01
7.防腐剤（パラオキシ安息香酸エステル）                    適量
8.香料                                               
適量
9.精製水                                         100とする残余
【０１０５】
（処方例２）乳液状組成物                                      質量％
1.スクワラン                                     
8.0
2.ホホバ油                                       
7.0
3.パラアミノ安息香酸グリセリル                             1.0
4.ウロカニン酸エチル                             
1.0
5.セチルアルコール                                         1.5
6.グリセリンモノステアレート                               2.0
7.ポリオキシエチレン(20)セチルエーテル                     3.0
8.ポリオキシエチレン(20)ソオルビタンモノオレート   
2.0
9.1,3-ブチレングリコール                                   1.0
10.グリセリン                                         
2.0
11.1,2-ペンタンジオール                                     3.0
12.γ−ポリグルタミン酸ナトリウム       
0.01
13.アスコルビン酸リン酸エステル                     
1.0
14.柚子果実50％ジプロピレングリコール抽出液                 1.0
15.絹蛋白質酵素分解液                               
5.0
16.豚プラセンタ水抽出液                               
1.0
17.防腐剤（パラオキシ安息香酸エステル）             
適量
18.精製水                                         100とする残余
【０１０６】
（処方例３）乳液状組成物                                      質量％
1.スクワラン                                     
8.0
2.ホホバ油                                       
7.0
3.パラアミノ安息香酸グリセリル                             1.0
4.ウロカニン酸エチル                             
1.0
5.セチルアルコール                                         1.5
6.グリセリンモノステアレート                               2.0
7.1,3-ブチレングリコール                                   1.0
8.グリセリン                                         
5.0
9.1,2-ペンタンジオール                                     3.0
10.γ−ポリグルタミン酸ナトリウム     
0.01
11.アスコルビン酸アルキルエーテル                   
0.5
12.アズレン                                                 0.5
13.柚子果実50％ジプロピレングリコール抽出液                 1.0
14.防腐剤（パラオキシ安息香酸エステル）             
適量
15.精製水                                         100とする残余
【０１０７】
（処方例４）オイル状組成物                                    質量％
1.流動パラフィン                                          30.0
2.スクワラン                                              20.0
3.オリーブ油                                              20.0
4.パルミチン酸イソプロピル                                10.0
5.γ−ポリグルタミン酸               
0.01
6.アスコルビン酸ナトリウム                         
1.0
7.塩化ベンザルコニウム           
0.1
8.杜仲葉熱水抽出液 
3.0
9.オリーブ油                     
1.0
10.シア脂                                            
1.0
11.ブチルヒドロキシアニソール                       
0.1
12.ビタミンＥ誘導体                                 
0.1
13.防腐剤（感光素２０１＆４０１号）                  
適量
14.香料（バラ水）                                    
適量
15.精製水                                         100とする残余
【０１０８】
（処方例５）液状組成物                                        質量％
1.グリセリン                                               5.0
2.1,3-ブチレングリコール                                   5.0
3.モノラウリン酸ホ゜リオキシエチレンソルヒ゛タン(20E.O)                          1.0
4.エタノール                                              15.0
5.γ−ポリグルタミン酸 
0.01
6.イオウ                                                   0.5
7.ユズ果実30％エタノール抽出液                    
1.0
8.葡萄茎又は葉30％エタノール抽出液                         1.0
9.抗菌（ラクトフェリン溶液） 
適量
10.防腐剤（パラオキシ安息香酸エステル）                    適量
11.香料（西洋薄荷水）                     
適量
12.精製水                                         100とする残余
【０１０９】
（処方例６）クリーム状組成物                                  質量％
1.サラシミツロウ                             
11.0
2.流動パラフィン                             
22.0
3.ラノリン                                   
10.0
4.オリーブ油                                 
5.0
5.カミツレ油                                 
5.0
6.パーム油                                        
5.0
7.ホウ砂                                     
0.5
8.γ−ポリグルタミン酸                            
0.01
9.グリチルリチン酸ジカリウム                         
0.1
10.セイヨウノコギリソウ全草抽出液                    
2.0
(エタノール:1,3-ブチレングリコール=1:1抽出溶媒) 
11.白樺樹皮抽出液                               
2.0
(エタノール:1,3-ブチレングリコール=1:1抽出溶媒) 
12.大豆種子水抽出液                               
1.0
13.液状シア脂                                        
1.0
14.防腐剤（アクリノール）                                 
0.1
15.香料（バニリン）                               
適量
16.精製水                                         100とする残余
【０１１０】
（処方例７）クリーム状組成物                                  質量％
1.サラシミツロウ                             
11.0
2.流動パラフィン                             
22.0
3.ラノリン                                   
10.0
4.オリーブ油                                 
5.0
5.カミツレ油                                 
5.0
6.γ−ポリグルタミン酸ナトリウム                  
0.01
7.マレイン酸クロロフェニラミン                       
0.1
8.カミツレ全草抽出液                         
2.0
(エタノール:1,3-ブチレングリコール=1:1抽出溶媒) 
9.黄連根茎抽出液                               
2.0
(エタノール:1,3-ブチレングリコール=1:1抽出溶媒) 
10.防腐剤（アクリノール）                                 
0.1
11.香料（バニリン）                               
適量
12.精製水                                         100とする残余
【０１１１】
（処方例８）頭皮用組成物                                      質量％
1.１，３−ブチレングリコール           
2.0
2.グリセリン                                     
1.0
3.塩化ステアリルトリメチルアンモニウム           
0.5
4.メチルフェニルポリシロキサン                   
1.0
5.エタノール                                   
40.0
6.γ−ポリグルタミン酸   
0.01
7.アスコルビン酸ナトリウム                             
1.0
8.抗菌・防腐剤（ジンクピリジオン）                
適量
9.香料（カミツレ水）                              
適量
10.精製水                                         100とする残余
【０１１２】
（処方例９）頭皮育毛用組成物                                  質量％
1.エタノール                                              29.0
2.ポリオキシプロピレンブチルエーテルリン酸                10.0
3.ポリオキシプロピレンモノブチルエーテル                   5.0
4.トリエタノールアミン                             
1.0
5.γ−ポリグルタミン酸ナトリウム 
0.01
6.アスコルビン酸アルキルエーテル                           0.2
7.グリチルレチン酸                                         0.2
8.グリチルレチン酸ステアリル 
0.1
9.トルメンチラ根又は根茎50％1,3-ブチレングリコール抽出液   1.0
10.ホップ雌花穂50％エタノール抽出液                  
1.0
11.ウスバサイシン根茎30％エタノール抽出液                   1.0
12.塩化カルプロニウム                                       0.3
13.ヒノキチオール                                           0.5
14.抗菌・防腐剤（パラベン）                         
適量
15.香料（ローズヒップ水）        
適量
16.精製水                                         100とする残余
【０１１３】
（試験例８）使用テスト
本発明の外用剤組成物を実際に使用した場合の効果について検討を行った。使用テストは敏感肌で悩む成人女性２０〜３０歳の２０名をパネラーとし、試料ローションと対象ローションを使用して顔全面にイオン導入器「ＶＩＴＡＬＩＯＮ  II、発売元：Ｉ・Ｊ・Ｇ  Ｃｏｒｐ．」による施術行い、感触の違いを評価した。結果は表４に示した。
「試料ローション」
・γ−ポリグルタミン酸（平均分子量約300万）     0.01％
・９９．５％エタノール                         10.0％
・１，３−ブチレングリコール                    5.0％
・精製水                                        残余
「対象ローション」
・９９．５％エタノール                         10.0％
・１，３−ブチレングリコール                    5.0％
・精製水                                        残余
【０１１４】
「皮膚感触改善効果」
有    効：電気による肌のピリピリ感がほとんど気にならない。
やや有効：電気による肌のピリピリ感がやや改善された。
無    効：電気による肌のピリピリ感を感じた。
【０１１５】
【表４】
2005035957.tif 000007
【０１１６】
（試験結果）
表４の通り、γ−ポリグルタミン酸を含有する試料ローションでは、イオン導入器を使用した施術の際に感じる、電気による肌のピリピリ感が優れて改善されることが判明した。
又、γ−ポリグルタミン酸をγ−ポリグルタミン酸の塩に置き換えても、同様の結果が得られた。値は人数を表す。尚、使用期間中に皮膚の異常を訴えた者はなかった。
【０１１７】
（試験例９）使用効果試験
本発明の外用剤組成物を実際に使用した場合の効果について検討を行った。使用テストはシミ・ソバカス・色黒で悩む成人女性２４〜３６歳の１０名をパネラーとし、試料美白ローションと対象美白ローションを使用して顔面に対し、週に２回１ヶ月間イオン導入器「ＶＩＴＡＬＩＯＮ  II、発売元：Ｉ・Ｊ・Ｇ  Ｃｏｒｐ．」による施術行い、シミ・ソバカス・皮膚色の淡色化への効果を評価した。結果は表５に示した。
「試料美白ローション」
・γ−ポリグルタミン酸（平均分子量約50万）       0.01％
・アスコルビン酸リン酸エステル                   1.0％
・９９．５％エタノール                          10.0％
・１，３−ブチレングリコール                     5.0％
・精製水                                          残余
「対象美白ローション」
・アスコルビン酸リン酸エステル                   1.0％
・９９．５％エタノール                          10.0％
・１，３−ブチレングリコール                     5.0％
・精製水                                          残余
【０１１８】
「シミ・ソバカス・皮膚色改善効果」
有    効：シミ・ソバカスや肌の色が白く改善された。
やや有効：シミ・ソバカスや肌の色が白くやや改善された。
無    効：使用前と変化なし。
【０１１９】
【表５】
2005035957.tif 000008
【０１２０】
（試験結果）
表５の通り、試料美白ローションは対象美白ローションよりも、シミ・ソバカス・皮膚色改善効果が高いという結果を得た。又、γ−ポリグルタミン酸をγ−ポリグルタミン酸の塩に置き換えても、同様の結果が得られた。値は人数を表す。尚、使用期間中に皮膚の異常を訴えた者はなかった。
【０１２１】
（試験例１０）使用効果試験
本発明の外用剤組成物を実際に使用した場合の効果について検討を行った。使用テストは肌荒れで悩む成人女性２１〜３３歳の１０名をパネラーとし、試料肌荒れ用ローションと対象肌荒れ用ローションを使用して顔面に対し、週に２回１ヶ月間イオン導入器「ＶＩＴＡＬＩＯＮ  II、発売元：Ｉ・Ｊ・Ｇ  Ｃｏｒｐ．」による施術行い、肌荒れに対する改善効果を評価した。結果は表６に示した。
「試料美白ローション」
・γ−ポリグルタミン酸（平均分子量約100万）      0.01％
・アズレン                                       1.0％
・９９．５％エタノール                          10.0％
・１，３−ブチレングリコール                     5.0％
・精製水                                          残余
「対象美白ローション」
・アズレン                                       1.0％
・９９．５％エタノール                          10.0％
・１，３−ブチレングリコール                     5.0％
・精製水                                          残余
【０１２２】
「肌荒れ改善効果」
有    効：肌荒れが改善された。
やや有効：肌荒れがやや改善された。
無    効：使用前と変化なし。
【０１２３】
【表６】
2005035957.tif 000009
【０１２４】
（試験結果）
表６の通り、試料肌荒れ用ローションは対象肌荒れ用ローションよりも、肌荒れ改善効果が高いという結果を得た。又、γ−ポリグルタミン酸をγ−ポリグルタミン酸の塩に置き換えても、同様の結果が得られた。値は人数を表す。尚、使用期間中に皮膚の異常を訴えた者はなかった。
【０１２５】
（試験例１１）使用効果試験
本発明の外用剤組成物を実際に使用した場合の効果について検討を行った。使用テストはニキビ肌の成人男女１８〜３７歳の１７名をパネラーとし、試料ニキビ用ローションと対象ニキビ用ローションを使用して顔面に対し、週に２回１ヶ月間イオン導入器「ＶＩＴＡＬＩＯＮ  II、発売元：Ｉ・Ｊ・Ｇ  Ｃｏｒｐ．」による施術行い、ニキビに対する改善効果を評価した。結果は表６に示した。
「試料ニキビ用ローション」
・γ−ポリグルタミン酸（平均分子量約300万）      0.01％
・サルチル酸                                     1.0％
・９９．５％エタノール                          10.0％
・１，３−ブチレングリコール                     5.0％
・精製水                                          残余
「対象ニキビ用ローション」
・サリチル酸                                     1.0％
・９９．５％エタノール                          10.0％
・１，３−ブチレングリコール                     5.0％
・精製水                                          残余
【０１２６】
「ニキビ改善効果」
有    効：ニキビが改善された。
やや有効：ニキビがやや改善された。
無    効：使用前と変化なし。
【０１２７】
【表７】
2005035957.tif 000010
【０１２８】
（試験結果）
表７の通り、試料ニキビ用ローションは対象ニキビ用ローションよりも、ニキビ改善効果が高いという結果を得た。又、γ−ポリグルタミン酸をγ−ポリグルタミン酸の塩に置き換えても、同様の結果が得られた。値は人数を表す。尚、使用期間中に皮膚の異常を訴えた者はなかった。
【図面の簡単な説明】
【０１２９】
【図１】試験例１の保湿効果試験による本発明のイオン導入用外用剤組成物を使用してイオン導入施術をした時の角層水分含有量を示す図である。
【図２】試験例１の保湿効果試験による本発明のイオン導入用外用剤組成物を使用してイオン導入施術をした時の経表皮水分喪失量を示す図である。
【図１】
2005035957.tif 000011
【図２】
2005035957.tif 000012